(57)【要約】  ワイヤレス通信ネットワーク内で複数のポジショニングプロトコルバージョンをサポートするための方法および装置を提供する。
2011514044.tif 000002
【特許請求の範囲】
【請求項１】
第１のデバイスを用いて、
少なくとも第２のポジショニングプロトコルバージョンと第３のポジショニングプロトコルバージョンとを備える複数のポジショニングプロトコルバージョンのうち、前記第１のデバイスが第１のポジショニングプロトコルバージョンに加えてサポートすることが実効的に可能である少なくとも１つのポジショニングプロトコルバージョンを判断することと、
第２のデバイスがサポートすることが実効的に可能である、前記複数のポジショニングプロトコルバージョンのうちの少なくとも１つおよび／または前記第１のポジショニングプロトコルバージョンを識別する少なくとも１つの指示信号にアクセスすることと、
前記少なくとも１つの指示信号に応答して、少なくとも１つのケイパビリティ信号を前記第２のデバイスに選択的に送信することとを備え、
前記第１のデバイスと前記第２のデバイスの両方が前記第３のポジショニングプロトコルバージョンをサポートすることが実効的に可能であると判断された場合、前記少なくとも１つのケイパビリティ信号が、前記第３のポジショニングプロトコルバージョンを使用して位置判断通信セッションを開始し、そうではなく、
前記第１のデバイスが前記第２のポジショニングプロトコルバージョンをサポートすることが実効的に可能ではなく、前記第２のデバイスが前記第２のポジショニングプロトコルバージョンをサポートすることが実効的に可能であると判断された場合、前記少なくとも１つのケイパビリティ信号が、前記第１のポジショニングプロトコルバージョンを使用して前記位置判断通信セッションを開始し、そうではなく、
前記第１のデバイスと前記第２のデバイスとが前記第２のポジショニングプロトコルバージョンをサポートすることが実効的に可能であると判断された場合、前記少なくとも１つのケイパビリティ信号が、前記第２のポジショニングプロトコルバージョンを使用して前記位置判断通信セッションを開始し、前記第２のポジショニングプロトコルバージョンに従って送信される、方法。
【請求項２】
前記第２のデバイスから前記少なくとも１つの指示信号を受信することをさらに備える方法であって、前記指示信号が、前記第２のデバイスがサポートするポジショニングプロトコルバージョンごとに位置判断データメッセージ（ＰＤＤＭ）を備える少なくとも１つのトランスポートメッセージを備え、
前記第１のポジショニングプロトコルバージョンに関連付けられたメッセージタイプフィールドを備える第１のＰＤＤＭが与えられ、
前記第２のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第１のデバイスＣａｐａｂｉｌｉｔｉｅｓ要求要素と、Ｐｒｏｖｉｄｅ  Ｅｘｔｅｎｄｅｄ第２のデバイスＣａｐａｂｉｌｉｔｉｅｓ応答要素とを備える第２のＰＤＤＭが与えられ、
前記第２のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第１のデバイスＣａｐａｂｉｌｉｔｉｅｓ要求要素と、Ｐｒｏｖｉｄｅ  Ａｄｖａｎｃｅｄ第２のデバイスＣａｐａｂｉｌｉｔｉｅｓ応答要素とを備える第３のＰＤＤＭが与えられる
請求項１に記載の方法。
【請求項３】
前記第１のＰＤＤＭが、Ｒｅｑｕｅｓｔ第１のデバイスＣａｐａｂｉｌｉｔｉｅｓ要求要素および／またはＰｒｏｖｉｄｅ第２のデバイスＣａｐａｂｉｌｉｔｉｅｓ応答要素のうちの少なくとも１つをさらに備える、請求項２に記載の方法。
【請求項４】
前記トランスポートメッセージ内に、前記第２のＰＤＤＭおよび／または前記第３のＰＤＤＭのうちの少なくとも１つに関連付けられた前記トランスポートメッセージの一部分を識別するメッセージ長情報をさらに備え、前記第３のＰＤＤＭが、少なくとも部分的に、拡張可能な構文言語を使用して符号化されるペイロードを備える、請求項２に記載の方法。
【請求項５】
前記第３のポジショニングプロトコルバージョンに関連付けられた前記メッセージタイプフィールドが、ＩＳ−８０１−Ｂを示す値に設定される、請求項２に記載の方法。
【請求項６】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項２に記載の方法。
【請求項７】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項２に記載の方法。
【請求項８】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項２に記載の方法。
【請求項９】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた情報を、前記第１のデバイスおよび／または前記第２のデバイスが要求および／または提供することを可能にする、請求項１に記載の方法。
【請求項１０】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた位置判断関連プロセスを、前記第１のデバイスおよび／または前記第２のデバイスが拒否および／またはキャンセルすることを可能にする、請求項１に記載の方法。
【請求項１１】
前記第１のデバイスまたは前記第２のデバイスのうちの一方が移動局を備え、前記第１のデバイスまたは前記第２のデバイスのうちの他方がロケーションサーバを備える、請求項１に記載の方法。
【請求項１２】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項１１に記載の方法。
【請求項１３】
前記移動局と前記ロケーションサーバとが、ＣＤＭＡワイヤレス通信ネットワーク内で通信することが実効的に可能である、請求項１１に記載の方法。
【請求項１４】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項１１に記載の方法。
【請求項１５】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項１に記載の方法。
【請求項１６】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項１５に記載の方法。
【請求項１７】
第１のデバイスを用いて、
少なくとも第２のポジショニングプロトコルバージョンと第３のポジショニングプロトコルバージョンとを備える複数のポジショニングプロトコルバージョンのうち、前記第１のデバイスが第１のポジショニングプロトコルバージョンに加えてサポートすることが実効的に可能である少なくとも１つのポジショニングプロトコルバージョンを判断することと、
前記第１のデバイスがサポートするポジショニングプロトコルバージョンごとに位置判断データメッセージ（ＰＤＤＭ）を備える指示信号を、第２のデバイスに送信することとをさらに備え、
前記第１のポジショニングプロトコルバージョンに関連付けられたメッセージタイプフィールドを備える第１のＰＤＤＭが与えられ、
前記第１のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第２のデバイスＣａｐａｂｉｌｉｔｉｅｓ要求要素と、Ｐｒｏｖｉｄｅ  Ｅｘｔｅｎｄｅｄ第１のデバイスＣａｐａｂｉｌｉｔｉｅｓ応答要素とを備える第２のＰＤＤＭが与えられ、
前記第１のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第２のデバイスＣａｐａｂｉｌｉｔｉｅｓ要求要素と、Ｐｒｏｖｉｄｅ  Ａｄｖａｎｃｅｄ第１のデバイスＣａｐａｂｉｌｉｔｉｅｓ応答要素とを備える第３のＰＤＤＭが与えられる、方法。
【請求項１８】
前記指示信号が、データバーストメッセージまたはＩＰパケットのいずれかの中で送信される少なくとも１つのトランスポートメッセージを備える、請求項１７に記載の方法。
【請求項１９】
前記第１のＰＤＤＭが、Ｒｅｑｕｅｓｔ第２のデバイスＣａｐａｂｉｌｉｔｉｅｓ要求要素および／またはＰｒｏｖｉｄｅ第１のデバイスＣａｐａｂｉｌｉｔｉｅｓ応答要素をさらに備える、請求項１７に記載の方法。
【請求項２０】
トランスポートメッセージ内で複数のＰＤＤＭを互いに連結することをさらに備え、前記第３のＰＤＤＭが、少なくとも部分的に、拡張可能な構文言語を使用して符号化されるペイロードを備える、請求項１７に記載の方法。
【請求項２１】
前記トランスポートメッセージ内に、前記トランスポートメッセージ内の前記複数のＰＤＤＭの各々に関連付けられた前記トランスポートメッセージの部分を識別する、メッセージ長情報を与えることをさらに備える、請求項２０に記載の方法。
【請求項２２】
前記メッセージタイプインジケータが、ＩＳ−８０１−Ｂを示す値に設定された、前記第３のポジショニングプロトコルバージョンに関連付けられたメッセージタイプフィールドを備える、請求項１７に記載の方法。
【請求項２３】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項１７に記載の方法。
【請求項２４】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項１７に記載の方法。
【請求項２５】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項１７に記載の方法。
【請求項２６】
前記第１のデバイスまたは前記第２のデバイスのうちの一方が移動局を備え、前記第１のデバイスまたは前記第２のデバイスのうちの他方がロケーションサーバを備える、請求項１７に記載の方法。
【請求項２７】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項２６に記載の方法。
【請求項２８】
前記移動局と前記基地局とが、ＣＤＭＡワイヤレス通信ネットワーク内で通信することが実効的に可能である、請求項２６に記載の方法。
【請求項２９】
前記移動局と前記基地局とが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項２６に記載の方法。
【請求項３０】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項１７に記載の方法。
【請求項３１】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項３０に記載の方法。
【請求項３２】
少なくとも第２のポジショニングプロトコルバージョンと第３のポジショニングプロトコルバージョンとを備える複数のポジショニングプロトコルバージョンのうち、第１のデバイスが第１のポジショニングプロトコルバージョンに加えてサポートすることが実効的に可能である少なくとも１つのポジショニングプロトコルバージョンを判断するための手段と、
第２のデバイスがサポートすることが実効的に可能である、前記複数のポジショニングプロトコルバージョンのうちの少なくとも１つおよび／または前記第１のポジショニングプロトコルバージョンを識別する少なくとも１つの指示信号にアクセスするための手段と、
前記少なくとも１つの指示信号に応答して、少なくとも１つのケイパビリティ信号を前記第２のデバイスに選択的に送信するための手段とを備え、
前記第１のデバイスと前記第２のデバイスの両方が前記第３のポジショニングプロトコルバージョンをサポートすることが実効的に可能であると判断された場合、前記少なくとも１つのケイパビリティ信号が、前記第３のポジショニングプロトコルバージョンを使用して位置判断通信セッションを開始し、そうではなく、
前記第１のデバイスが前記第２のポジショニングプロトコルバージョンをサポートすることが実効的に可能ではなく、前記第２のデバイスが前記第２のポジショニングプロトコルバージョンをサポートすることが実効的に可能であると判断された場合、前記少なくとも１つのケイパビリティ信号が、前記第１のポジショニングプロトコルバージョンを使用して前記位置判断通信セッションを開始し、そうではなく、
前記第１のデバイスと前記第２のデバイスとが前記第２のポジショニングプロトコルバージョンをサポートすることが実効的に可能であると判断された場合、前記少なくとも１つのケイパビリティ信号が、前記第２のポジショニングプロトコルバージョンを使用して前記位置判断通信セッションを開始し、前記第２のポジショニングプロトコルバージョンに従って送信される、装置。
【請求項３３】
前記第２のデバイスから前記少なくとも１つの指示信号を受信するための手段をさらに備え、前記指示信号が、前記第２のデバイスがサポートするポジショニングプロトコルバージョンごとに位置判断データメッセージ（ＰＤＤＭ）を備える少なくとも１つのトランスポートメッセージを備え、
前記第１のポジショニングプロトコルバージョンに関連付けられたメッセージタイプフィールドを備える第１のＰＤＤＭが与えられ、
前記第２のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第１のデバイスＣａｐａｂｉｌｉｔｉｅｓ要求要素と、Ｐｒｏｖｉｄｅ  Ｅｘｔｅｎｄｅｄ第２のデバイスＣａｐａｂｉｌｉｔｉｅｓ応答要素とを備える第２のＰＤＤＭが与えられ、
前記第２のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第１のデバイスＣａｐａｂｉｌｉｔｉｅｓ要求要素と、Ｐｒｏｖｉｄｅ  Ａｄｖａｎｃｅｄ第２のデバイスＣａｐａｂｉｌｉｔｉｅｓ応答要素とを備える第３のＰＤＤＭが与えられる
請求項３２に記載の装置。
【請求項３４】
前記第１のＰＤＤＭが、Ｒｅｑｕｅｓｔ第１のデバイスＣａｐａｂｉｌｉｔｉｅｓ要求要素および／またはＰｒｏｖｉｄｅ第２のデバイスＣａｐａｂｉｌｉｔｉｅｓ応答要素のうちの少なくとも１つをさらに備える、請求項３３に記載の装置。
【請求項３５】
前記トランスポートメッセージ内に、前記第２のＰＤＤＭおよび／または前記第３のＰＤＤＭのうちの少なくとも１つに関連付けられた前記トランスポートメッセージの一部分を識別するメッセージ長情報をさらに備え、前記第３のＰＤＤＭが、少なくとも部分的に、拡張可能な構文言語を使用して符号化されるペイロードを備える、請求項３３に記載の装置。
【請求項３６】
前記第３のポジショニングプロトコルバージョンに関連付けられた前記メッセージタイプフィールドが、ＩＳ−８０１−Ｂを示す値に設定される、請求項３３に記載の装置。
【請求項３７】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項３３に記載の装置。
【請求項３８】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項３３に記載の装置。
【請求項３９】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項３３に記載の装置。
【請求項４０】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた情報を、前記第１のデバイスおよび／または前記第２のデバイスが要求および／または提供することを可能にする、請求項３３に記載の装置。
【請求項４１】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた位置判断関連プロセスを、前記第１のデバイスおよび／または前記第２のデバイスが拒否および／またはキャンセルすることを可能にする、請求項３３に記載の装置。
【請求項４２】
前記第１のデバイスまたは前記第２のデバイスのうちの一方が移動局を備え、前記第１のデバイスまたは前記第２のデバイスのうちの他方がロケーションサーバを備える、請求項３２に記載の装置。
【請求項４３】
ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項４２に記載の装置。
【請求項４４】
前記移動局と前記ロケーションサーバとが、ＣＤＭＡワイヤレス通信ネットワーク内で通信することが実効的に可能である、請求項４２に記載の装置。
【請求項４５】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項４２に記載の装置。
【請求項４６】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項３２に記載の装置。
【請求項４７】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項４６に記載の装置。
【請求項４８】
少なくとも第２のポジショニングプロトコルバージョンと第３のポジショニングプロトコルバージョンとを備える複数のポジショニングプロトコルバージョンのうち、第１のデバイスが第１のポジショニングプロトコルバージョンに加えてサポートすることが実効的に可能である少なくとも１つのポジショニングプロトコルバージョンを判断するための手段と、
前記第１のデバイスがサポートするポジショニングプロトコルバージョンごとに位置判断データメッセージ（ＰＤＤＭ）を備える指示信号を、第２のデバイスに送信するための手段とを備え、
前記第１のポジショニングプロトコルバージョンに関連付けられたメッセージタイプフィールドを備える第１のＰＤＤＭが与えられ、
前記第１のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第２のデバイスＣａｐａｂｉｌｉｔｉｅｓ要求要素と、Ｐｒｏｖｉｄｅ  Ｅｘｔｅｎｄｅｄ第１のデバイスＣａｐａｂｉｌｉｔｉｅｓ応答要素とを備える第２のＰＤＤＭが与えられ、
前記第１のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第２のデバイスＣａｐａｂｉｌｉｔｉｅｓ要求要素と、Ｐｒｏｖｉｄｅ  Ａｄｖａｎｃｅｄ第１のデバイスＣａｐａｂｉｌｉｔｉｅｓ応答要素とを備える第３のＰＤＤＭが与えられる、装置。
【請求項４９】
前記指示信号が、データバーストメッセージまたはＩＰパケットのいずれかの中で送信される少なくとも１つのトランスポートメッセージを備える、請求項４８に記載の装置。
【請求項５０】
前記第１のＰＤＤＭが、Ｒｅｑｕｅｓｔ第２のデバイスＣａｐａｂｉｌｉｔｉｅｓ要求要素および／またはＰｒｏｖｉｄｅ第１のデバイスＣａｐａｂｉｌｉｔｉｅｓ応答要素をさらに備える、請求項４８に記載の装置。
【請求項５１】
トランスポートメッセージ内で複数のＰＤＤＭを互いに連結するための手段をさらに備え、前記第３のＰＤＤＭが、少なくとも部分的に、拡張可能な構文言語を使用して符号化されるペイロードを備える
請求項４８に記載の装置。
【請求項５２】
前記トランスポートメッセージ内に、前記トランスポートメッセージ内の前記複数のＰＤＤＭの各々に関連付けられた前記トランスポートメッセージの部分を識別する、メッセージ長情報を与えるための手段
をさらに備える、請求項４９に記載の装置。
【請求項５３】
前記メッセージタイプインジケータが、ＩＳ−８０１−Ｂを示す値に設定された、前記第３のポジショニングプロトコルバージョンに関連付けられたメッセージタイプフィールドを備える、請求項４８に記載の装置。
【請求項５４】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項４８に記載の装置。
【請求項５５】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項４８に記載の装置。
【請求項５６】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項４８に記載の装置。
【請求項５７】
前記第１のデバイスまたは前記第２のデバイスのうちの一方が移動局を備え、前記第１のデバイスまたは前記第２のデバイスのうちの他方がロケーションサーバを備える、請求項４８に記載の装置。
【請求項５８】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項５７に記載の装置。
【請求項５９】
前記移動局と前記ロケーションサーバとが、ＣＤＭＡワイヤレス通信ネットワーク内で通信することが実効的に可能である、請求項５７に記載の装置。
【請求項６０】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項５７に記載の装置。
【請求項６１】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項４８に記載の装置。
【請求項６２】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項６１に記載の装置。
【請求項６３】
送信機と、
第１のデバイスが第１のポジショニングプロトコルバージョンに加えてサポートすることが実効的に可能である複数のポジショニングプロトコルバージョンに実効的に関連付けられた命令および／または情報を備えるメモリであって、前記複数のポジショニングプロトコルバージョンが少なくとも第２のポジショニングプロトコルバージョンと第３のポジショニングプロトコルバージョンとを備える、メモリと、
前記送信機と前記メモリとに実効的に結合され、
第２のデバイスがサポートすることが実効的に可能である、前記複数のポジショニングプロトコルバージョンのうちの少なくとも１つおよび／または前記第１のポジショニングプロトコルバージョンを識別する少なくとも１つの指示信号にアクセスすることと、
前記少なくとも１つの指示信号に応答して、前記送信機を使用して少なくとも１つのケイパビリティ信号の前記第２のデバイスへの送信を選択的に開始することと
が実効的に可能である、少なくとも１つの処理ユニットとを備え、
前記第１のデバイスと前記第２のデバイスの両方が前記第３のポジショニングプロトコルバージョンをサポートすることが実効的に可能であると判断された場合、前記少なくとも１つのケイパビリティ信号が、前記第３のポジショニングプロトコルバージョンを使用して位置判断通信セッションを開始し、そうではなく、
前記第１のデバイスが前記第２のポジショニングプロトコルバージョンをサポートすることが実効的に可能ではなく、前記第２のデバイスが前記第２のポジショニングプロトコルバージョンをサポートすることが実効的に可能であると判断された場合、前記少なくとも１つのケイパビリティ信号が、前記第１のポジショニングプロトコルバージョンを使用して前記位置判断通信セッションを開始し、そうではなく、
前記第１のデバイスと前記第２のデバイスとが前記第２のポジショニングプロトコルバージョンをサポートすることが実効的に可能であると判断された場合、前記少なくとも１つのケイパビリティ信号が、前記第２のポジショニングプロトコルバージョンを使用して前記位置判断通信セッションを開始し、前記第２のポジショニングプロトコルバージョンに従って送信される、装置。
【請求項６４】
前記少なくとも１つの処理ユニットおよび／または前記メモリのうちの前記少なくとも１つに結合され、前記第２のデバイスから前記少なくとも１つの指示信号を受信することが実効的に可能である受信機をさらに備え、前記指示信号が、前記第２のデバイスがサポートするポジショニングプロトコルバージョンごとに位置判断データメッセージ（ＰＤＤＭ）を備える少なくとも１つのトランスポートメッセージを備え、
前記第１のポジショニングプロトコルバージョンに関連付けられたメッセージタイプフィールドを備える第１のＰＤＤＭが与えられ、
前記第２のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第１のデバイスＣａｐａｂｉｌｉｔｉｅｓ要求要素と、Ｐｒｏｖｉｄｅ  Ｅｘｔｅｎｄｅｄ第２のデバイスＣａｐａｂｉｌｉｔｉｅｓ応答要素とを備える第２のＰＤＤＭが与えられ、
前記第２のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第１のデバイスＣａｐａｂｉｌｉｔｉｅｓ要求要素と、Ｐｒｏｖｉｄｅ  Ａｄｖａｎｃｅｄ第２のデバイスＣａｐａｂｉｌｉｔｉｅｓ応答要素とを備える第３のＰＤＤＭが与えられる
請求項６３に記載の装置。
【請求項６５】
前記第１のＰＤＤＭが、Ｒｅｑｕｅｓｔ第１のデバイスＣａｐａｂｉｌｉｔｉｅｓ要求要素および／またはＰｒｏｖｉｄｅ第２のデバイスＣａｐａｂｉｌｉｔｉｅｓ応答要素のうちの少なくとも１つをさらに備える、請求項６４に記載の装置。
【請求項６６】
前記トランスポートメッセージ内に、前記第２のＰＤＤＭおよび／または前記第３のＰＤＤＭのうちの少なくとも１つに関連付けられた前記トランスポートメッセージの一部分を識別するメッセージ長情報をさらに備え、前記第３のＰＤＤＭが、少なくとも部分的に、拡張可能な構文言語を使用して符号化されるペイロードを備える、請求項６４に記載の装置。
【請求項６７】
前記第３のポジショニングプロトコルバージョンに関連付けられた前記メッセージタイプフィールドが、ＩＳ−８０１−Ｂを示す値に設定される、請求項６４に記載の装置。
【請求項６８】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項６４に記載の装置。
【請求項６９】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項６４に記載の装置。
【請求項７０】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項６４に記載の装置。
【請求項７１】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた情報を、前記第１のデバイスおよび／または前記第２のデバイスが要求および／または提供することを可能にする、請求項６４に記載の装置。
【請求項７２】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた位置判断関連プロセスを、前記第１のデバイスおよび／または前記第２のデバイスが拒否および／またはキャンセルすることを可能にする、請求項６４に記載の装置。
【請求項７３】
前記第１のデバイスまたは前記第２のデバイスのうちの一方が移動局を備え、前記第１のデバイスまたは前記第２のデバイスのうちの他方がロケーションサーバを備える、請求項６３に記載の装置。
【請求項７４】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項７３に記載の装置。
【請求項７５】
前記移動局と前記ロケーションサーバとが、ＣＤＭＡワイヤレス通信ネットワーク内で通信することが実効的に可能である、請求項７３に記載の装置。
【請求項７６】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項７３に記載の装置。
【請求項７７】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項６３に記載の装置。
【請求項７８】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項７７に記載の装置。
【請求項７９】
送信機と、
第１のデバイスが第１のポジショニングプロトコルバージョンに加えてサポートすることが実効的に可能である複数のポジショニングプロトコルバージョンに実効的に関連付けられた命令および／または情報を備えるメモリであって、前記複数のポジショニングプロトコルバージョンが少なくとも第２のポジショニングプロトコルバージョンと第３のポジショニングプロトコルバージョンとを備える、メモリと、
前記送信機と前記メモリとに実効的に結合され、
前記第１のデバイスがサポートするポジショニングプロトコルバージョンごとに位置判断データメッセージ（ＰＤＤＭ）を備える指示信号の、前記送信機を使用した第２のデバイスへの送信を開始すること
が実効的に可能である少なくとも１つの処理ユニットとを備え、
前記第１のポジショニングプロトコルバージョンに関連付けられたメッセージタイプフィールドを備える第１のＰＤＤＭが与えられ、
前記第１のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第２のデバイスＣａｐａｂｉｌｉｔｉｅｓ要求要素と、Ｐｒｏｖｉｄｅ  Ｅｘｔｅｎｄｅｄ第１のデバイスＣａｐａｂｉｌｉｔｉｅｓ応答要素とを備える第２のＰＤＤＭが与えられ、
前記第１のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第２のデバイスＣａｐａｂｉｌｉｔｉｅｓ要求要素と、Ｐｒｏｖｉｄｅ  Ａｄｖａｎｃｅｄ第１のデバイスＣａｐａｂｉｌｉｔｉｅｓ応答要素とを備える第３のＰＤＤＭが与えられる、装置。
【請求項８０】
前記指示信号が、データバーストメッセージまたはＩＰパケットのいずれかの中で送信される少なくとも１つのトランスポートメッセージを備える、請求項７９に記載の装置。
【請求項８１】
前記第１のＰＤＤＭが、Ｒｅｑｕｅｓｔ第２のデバイスＣａｐａｂｉｌｉｔｉｅｓ要求要素および／またはＰｒｏｖｉｄｅ第１のデバイスＣａｐａｂｉｌｉｔｉｅｓ応答要素をさらに備える、請求項７９に記載の装置。
【請求項８２】
前記少なくとも１つの処理ユニットが、トランスポートメッセージ内で複数のＰＤＤＭを互いに連結することが実効的に可能であり、前記第３のＰＤＤＭが、少なくとも部分的に、拡張可能な構文言語を使用して符号化されるペイロードを備える、請求項７９に記載の装置。
【請求項８３】
前記少なくとも１つの処理ユニットが、前記トランスポートメッセージ内に、前記トランスポートメッセージ内の前記複数のＰＤＤＭの各々に関連付けられた前記トランスポートメッセージの部分を識別する、メッセージ長情報を与えることが実効的に可能である、請求項８２に記載の装置。
【請求項８４】
前記メッセージタイプインジケータが、ＩＳ−８０１−Ｂを示す値に設定された、前記第３のポジショニングプロトコルバージョンに関連付けられたメッセージタイプフィールドを備える、請求項７９に記載の装置。
【請求項８５】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項７９に記載の装置。
【請求項８６】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項７９に記載の装置。
【請求項８７】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項７９に記載の装置。
【請求項８８】
前記第１のデバイスまたは前記第２のデバイスのうちの一方が移動局を備え、前記第１のデバイスまたは前記第２のデバイスのうちの他方がロケーションサーバを備える、請求項７９に記載の装置。
【請求項８９】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項８８に記載の装置。
【請求項９０】
前記移動局と前記ロケーションサーバとが、ＣＤＭＡワイヤレス通信ネットワーク内で通信することが実効的に可能である、請求項８８に記載の装置。
【請求項９１】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項８８に記載の装置。
【請求項９２】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項７９に記載の装置。
【請求項９３】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項９２に記載の装置。
【請求項９４】
専用の第１のデバイス中の１つまたは複数の処理ユニットによって実施されると、前記第１のデバイスが、
少なくとも第２のポジショニングプロトコルバージョンと第３のポジショニングプロトコルバージョンとを備える複数のポジショニングプロトコルバージョンのうち、第１のデバイスが第１のポジショニングプロトコルバージョンに加えてサポートすることが実効的に可能である少なくとも１つのポジショニングプロトコルバージョンを判断することと、
第２のデバイスがサポートすることが実効的に可能である、前記複数のポジショニングプロトコルバージョンのうちの少なくとも１つおよび／または前記第１のポジショニングプロトコルバージョンを識別する少なくとも１つの指示信号にアクセスすることと、
前記少なくとも１つの指示信号に応答して、少なくとも１つのケイパビリティ信号の前記第２のデバイスへの送信を選択的に開始することと
を実効的に可能にするコンピュータ実施可能命令が記憶されたコンピュータ可読媒体を備え、
前記第１のデバイスと前記第２のデバイスの両方が前記第３のポジショニングプロトコルバージョンをサポートすることが実効的に可能であると判断された場合、前記少なくとも１つのケイパビリティ信号が、前記第３のポジショニングプロトコルバージョンを使用して位置判断通信セッションを開始し、そうではなく、
前記第１のデバイスが前記第２のポジショニングプロトコルバージョンをサポートすることが実効的に可能ではなく、前記第２のデバイスが前記第２のポジショニングプロトコルバージョンをサポートすることが実効的に可能であると判断された場合、前記少なくとも１つのケイパビリティ信号が、前記第１のポジショニングプロトコルバージョンを使用して前記位置判断通信セッションを開始し、そうではなく、
前記第１のデバイスと前記第２のデバイスとが前記第２のポジショニングプロトコルバージョンをサポートすることが実効的に可能であると判断された場合、前記少なくとも１つのケイパビリティ信号が、前記第２のポジショニングプロトコルバージョンを使用して前記位置判断通信セッションを開始し、前記第２のポジショニングプロトコルバージョンに従って送信される、物品。
【請求項９５】
１つまたは複数の処理ユニットによって実施されると、前記第１のデバイスが、
前記第２のデバイスから前記少なくとも１つの指示信号を受信することであって、前記指示信号が、前記第２のデバイスがサポートするポジショニングプロトコルバージョンごとに位置判断データメッセージ（ＰＤＤＭ）を備える少なくとも１つのトランスポートメッセージを備える、受信すること
を実効的に可能にする、コンピュータ実施可能命令をさらに備え、
前記第１のポジショニングプロトコルバージョンに関連付けられたメッセージタイプフィールドを備える第１のＰＤＤＭが与えられ、
前記第２のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第１のデバイスＣａｐａｂｉｌｉｔｉｅｓ要求要素と、Ｐｒｏｖｉｄｅ  Ｅｘｔｅｎｄｅｄ第２のデバイスＣａｐａｂｉｌｉｔｉｅｓ応答要素とを備える第２のＰＤＤＭが与えられ、
前記第２のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第１のデバイスＣａｐａｂｉｌｉｔｉｅｓ要求要素と、Ｐｒｏｖｉｄｅ  Ａｄｖａｎｃｅｄ第２のデバイスＣａｐａｂｉｌｉｔｉｅｓ応答要素とを備える第３のＰＤＤＭが与えられる
請求項９４に記載の物品。
【請求項９６】
前記第１のＰＤＤＭが、Ｒｅｑｕｅｓｔ第１のデバイスＣａｐａｂｉｌｉｔｉｅｓ要求要素および／またはＰｒｏｖｉｄｅ第２のデバイスＣａｐａｂｉｌｉｔｉｅｓ応答要素のうちの少なくとも１つをさらに備える、請求項９５に記載の物品。
【請求項９７】
前記トランスポートメッセージ内に、前記第２のＰＤＤＭおよび／または前記第３のＰＤＤＭのうちの少なくとも１つに関連付けられた前記トランスポートメッセージの一部分を識別するメッセージ長情報をさらに備え、前記第３のＰＤＤＭが、少なくとも部分的に、拡張可能な構文言語を使用して符号化されるペイロードを備える、請求項９５に記載の物品。
【請求項９８】
前記第３のポジショニングプロトコルバージョンに関連付けられた前記メッセージタイプフィールドが、ＩＳ−８０１−Ｂを示す値に設定される、請求項９５に記載の物品。
【請求項９９】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項９５に記載の物品。
【請求項１００】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項９５に記載の物品。
【請求項１０１】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項９５に記載の物品。
【請求項１０２】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた情報を、前記第１のデバイスおよび／または前記第２のデバイスが要求および／または提供することを可能にする、請求項９５に記載の物品。
【請求項１０３】
前記第３のポジショニングプロトコルバージョンを使用する前記位置判断通信セッションが、Ｇｌｏｂａｌ  Ｎａｖｉｇａｔｉｏｎ  Ｓａｔｅｌｌｉｔｅ  Ｓｅｒｖｉｃｅ（ＧＮＳＳ）、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、および／またはＣＤＭＡ２０００  １Ｘネットワークのうちの少なくとも１つに関連付けられた位置判断関連プロセスを、前記第１のデバイスおよび／または前記第２のデバイスが拒否および／またはキャンセルすることを可能にする、請求項９５に記載の物品。
【請求項１０４】
前記第１のデバイスまたは前記第２のデバイスのうちの一方が移動局を備え、前記第１のデバイスまたは前記第２のデバイスのうちの他方がロケーションサーバを備える、請求項９４に記載の物品。
【請求項１０５】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項１０４に記載の物品。
【請求項１０６】
前記移動局と前記ロケーションサーバとが、ＣＤＭＡワイヤレス通信ネットワーク内で通信することが実効的に可能である、請求項１０４に記載の物品。
【請求項１０７】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項１０４に記載の物品。
【請求項１０８】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項９４に記載の物品。
【請求項１０９】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項１０８に記載の物品。
【請求項１１０】
専用の第１のデバイス中の１つまたは複数の処理ユニットによって実施されると、前記第１のデバイスが、
少なくとも第２のポジショニングプロトコルバージョンと第３のポジショニングプロトコルバージョンとを備える複数のポジショニングプロトコルバージョンのうち、第１のデバイスが第１のポジショニングプロトコルバージョンに加えてサポートすることが実効的に可能である少なくとも１つのポジショニングプロトコルバージョンを判断することと、
前記第１のデバイスがサポートするポジショニングプロトコルバージョンごとに位置判断データメッセージ（ＰＤＤＭ）を備える指示信号の第２のデバイスへの送信を開始することと
を実効的に可能にするコンピュータ実施可能命令が記憶されたコンピュータ可読媒体を備え、
前記第１のポジショニングプロトコルバージョンに関連付けられたメッセージタイプフィールドを備える第１のＰＤＤＭが与えられ、
前記第１のデバイスが前記第２のポジショニングプロトコルバージョンをサポートする場合、前記第２のポジショニングプロトコルバージョンに関連付けられたメッセージタイプフィールドと、Ｒｅｑｕｅｓｔ  Ｅｘｔｅｎｄｅｄ第２のデバイスＣａｐａｂｉｌｉｔｉｅｓ要求要素と、Ｐｒｏｖｉｄｅ  Ｅｘｔｅｎｄｅｄ第１のデバイスＣａｐａｂｉｌｉｔｉｅｓ応答要素とを備える第２のＰＤＤＭが与えられ、
前記第１のデバイスが前記第３のポジショニングプロトコルバージョンをサポートする場合、前記第３のポジショニングプロトコルバージョンに関連付けられたメッセージタイプフィールドと、Ｒｅｑｕｅｓｔ  Ａｄｖａｎｃｅｄ第２のデバイスＣａｐａｂｉｌｉｔｉｅｓ要求要素と、Ｐｒｏｖｉｄｅ  Ａｄｖａｎｃｅｄ第１のデバイスＣａｐａｂｉｌｉｔｉｅｓ応答要素とを備える第３のＰＤＤＭが与えられる、物品。
【請求項１１１】
前記指示信号が、データバーストメッセージまたはＩＰパケットのいずれかの中で送信される少なくとも１つのトランスポートメッセージを備える、請求項１１０に記載の物品。
【請求項１１２】
前記第１のＰＤＤＭが、Ｒｅｑｕｅｓｔ第２のデバイスＣａｐａｂｉｌｉｔｉｅｓ要求要素および／またはＰｒｏｖｉｄｅ第１のデバイスＣａｐａｂｉｌｉｔｉｅｓ応答要素をさらに備える、請求項１１０に記載の物品。
【請求項１１３】
１つまたは複数の処理ユニットによって実施されると、前記第１のデバイスが、
トランスポートメッセージ内で複数のＰＤＤＭを互いに連結することを実効的に可能にするコンピュータ実施可能命令をさらに備え、前記第３のＰＤＤＭが、少なくとも部分的に、拡張可能な構文言語を使用して符号化されるペイロードを備える
請求項１１０に記載の物品。
【請求項１１４】
１つまたは複数の処理ユニットによって実施されると、前記第１のデバイスが、
前記トランスポートメッセージ内に、前記トランスポートメッセージ内の前記複数のＰＤＤＭの各々に関連付けられた前記トランスポートメッセージの部分を識別する、メッセージ長情報を与えること
を実効的に可能にするコンピュータ実施可能命令をさらに備える、請求項１１３に記載の物品。
【請求項１１５】
前記メッセージタイプインジケータが、ＩＳ−８０１−Ｂを示す値に設定された、前記第３のポジショニングプロトコルバージョンに関連付けられたメッセージタイプフィールドを備える、請求項１１０に記載の物品。
【請求項１１６】
前記第２のデバイスが移動局（ＭＳ）を備え、前記第１のデバイスが基地局（ＢＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＢＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＭＳ  Ｃａｐａｂｉｌｉｔｉｅｓ応答要素を備える、請求項１１０に記載の物品。
【請求項１１７】
前記第２のデバイスが基地局（ＢＳ）を備え、前記第１のデバイスが移動局（ＭＳ）を備え、前記Ｒｅｑｕｅｓｔ  Ａｄｖａｎｃｅｄ第１のデバイスＣａｐａｂｉｌｉｔｉｅｓ要求要素がＲｅｑｕｅｓｔ  Ａｄｖａｎｃｅｄ  ＭＳ  Ｃａｐａｂｉｌｉｔｉｅｓ要求要素を備え、前記Ｐｒｏｖｉｄｅ  Ａｄｖａｎｃｅｄ第２のデバイスＣａｐａｂｉｌｉｔｉｅｓ応答要素がＰｒｏｖｉｄｅ  Ａｄｖａｎｃｅｄ  ＢＳ  Ｃａｐａｂｉｌｉｔｉｅｓ応答要素を備える、請求項１１０に記載の物品。
【請求項１１８】
前記少なくとも１つのＰＤＤＭが、前記第１のポジショニングプロトコルバージョン、前記第２のポジショニングプロトコルバージョン、または前記第３のポジショニングプロトコルバージョンのいずれか１つに関連付けられたリビジョンレベルインジケータを備える、請求項１１０に記載の物品。
【請求項１１９】
前記第１のデバイスまたは前記第２のデバイスのうちの一方が移動局を備え、前記第１のデバイスまたは前記第２のデバイスのうちの他方がロケーションサーバを備える、請求項１１０に記載の物品。
【請求項１２０】
前記ロケーションサーバが、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、および／またはＳＵＰＬロケーションプラットフォーム（ＳＬＰ）のうちの少なくとも１つを備える、請求項１１９に記載の物品。
【請求項１２１】
前記移動局と前記ロケーションサーバとが、ＣＤＭＡワイヤレス通信ネットワーク内で通信することが実効的に可能である、請求項１１９に記載の物品。
【請求項１２２】
前記移動局と前記ロケーションサーバとが、少なくともＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートすることが実効的に可能である、請求項１１９に記載の物品。
【請求項１２３】
前記第２ポジショニングプロトコルバージョンおよび前記第３のポジショニングプロトコルバージョンが、少なくとも前記第１のポジショニングプロトコルバージョンの異なるリビジョンおよび以後開発されるリビジョンを備える、請求項１１０に記載の物品。
【請求項１２４】
前記第１のポジショニングプロトコルバージョンがＩＳ−８０１−１に準拠し、前記第２のポジショニングプロトコルバージョンがＩＳ−８０１−Ａに準拠し、前記第３のポジショニングプロトコルバージョンがＩＳ−８０１−Ｂに準拠する、請求項１２３に記載の物品。
【発明の詳細な説明】
【技術分野】
【０００１】
関連出願
本特許出願は、その全体が参照により本明細書に組み込まれる、２００８年２月１５日に出願された「Positioning Protocol for CDMA, UMB and other Wireless Systems」と題する米国特許仮出願第６１／０２９，２８８号の利益および優先権を主張する。
【０００２】
本特許出願は、その全体が参照により本明細書に組み込まれる、２００８年８月２５日に出願された「MS Information and BS Capabilities for IS-801-B」と題する米国特許仮出願第６１／０９１，６９２号の利益および優先権を主張する。
【０００３】
本特許出願は、その全体が参照により本明細書に組み込まれる、２００８年８月２５日に出願された「Location Response, Reject and Cancellation Request/Response」と題する米国特許仮出願第６１／０９１，６９９号の利益および優先権を主張する。
【０００４】
本明細書で開示する主題は、ワイヤレス通信ネットワークおよびデバイスに関し、より詳細には、ワイヤレス通信ネットワーク内で複数のポジショニングプロトコルバージョンをサポートするための方法および装置に関する。
【背景技術】
【０００５】
ワイヤレス通信ネットワークに関連付けられたデバイスのロケーションを推定またはさもなければ判断するために位置判断プロセスを使用することができる。特定の例では、セルラー電話または他の同様の移動局などモバイルデバイスのロケーション座標を推定するために位置判断プロセスを実装する。位置判断プロセスをサポートするために利用可能な様々な技法がある。たとえば、移動局のロケーションを推定するためにＧｌｏｂａｌ  Ｐｏｓｉｔｉｏｎｉｎｇ  Ｓｙｓｔｅｍ（ＧＰＳ）および／または他の同様のシステムが使用される。ワイヤレス通信ネットワークに関して、いくつかの位置判断プロセスでは、情報および／または処理タスクを、複数のデバイスの間および／または複数のデバイスの中で共有および／または分散する必要がある。たとえば、いくつかの例では、位置判断プロセスの一部として、１つまたは複数の他のデバイスによって移動局が何らかの方法で支援されることがある。したがって、何らかの方法で、たとえば、ワイヤレスリンクを介した１つまたは複数の位置判断通信セッションによって通信するそのようなデバイスがしばしば必要である。したがって、位置判断プロセスをサポートするために使用されるそのような位置判断通信セッションを可能にするために、１つまたは複数のポジショニングプロトコルが開発される。
【発明の概要】
【０００６】
本明細書のいくつかの態様によれば、複数の互換性のあるおよび／または互換性のないプロトコルバージョンをサポートすることができ、および／またはいくつかのプロトコルバージョンが「スキップ」されるか、またはさもなければサポートされないようする、ロバストで効率的なバージョンネゴシエーション技法が提示される。
【０００７】
いくつかの例示的な態様によれば、第１のデバイスを用いて、第１のデバイスが第１のポジショニングプロトコルバージョンに加えてサポートすることが実効的に可能である複数のポジショニングプロトコルバージョンのうちの少なくとも１つを判断することを含む方法（および／または特定の装置）を実装することができる。たとえば、複数のポジショニングプロトコルバージョンは、少なくとも第２のポジショニングプロトコルバージョンと第３のポジショニングプロトコルバージョンとを含む。本方法は、第２のデバイスがサポートすることが実効的に可能である、複数のポジショニングプロトコルバージョンのうちの少なくとも１つおよび／または第１のポジショニングプロトコルバージョンを識別する少なくとも１つの指示信号にアクセスすることと、指示信号に応答して、少なくとも１つのケイパビリティ(capability)信号を第２のデバイスに選択的に送信することとを含むことができる。ここで、たとえば、第１のデバイスと第２のデバイスの両方が第３のポジショニングプロトコルバージョンをサポートすることが実効的に可能であると判断された場合、ケイパビリティ信号は、第３のポジショニングプロトコルバージョンを使用して位置判断通信セッションを開始する。第１のデバイスが第２のポジショニングプロトコルバージョンをサポートすることが実効的に可能にならず、第２のデバイスが第２のポジショニングプロトコルバージョンをサポートすることが実効的に可能であると判断された場合、ケイパビリティ信号は、第１のポジショニングプロトコルバージョンを使用して位置判断通信セッションを開始する。そうではなく、第１のデバイスと第２のデバイスとが第２のポジショニングプロトコルバージョンをサポートすることが実効的に可能であると判断された場合、ケイパビリティ信号は、第２のポジショニングプロトコルバージョンを使用して位置判断通信セッションを開始し、ケイパビリティ信号は、必要に応じて第２のポジショニングプロトコルバージョンに従って送信される。
【０００８】
限定ではなく例として、第２のデバイスから受信された指示信号は、第２のデバイスがサポートするポジショニングプロトコルバージョンごとに位置判断データメッセージ（ＰＤＤＭ）を含むことができる、少なくとも１つのトランスポートメッセージを含むことができる。この場合、たとえば、第１のポジショニングプロトコルバージョンに関連付けられたメッセージタイプフィールドを含む第１のＰＤＤＭが与えられる。いくつかの実装形態では、第１のＰＤＤＭはまた、Ｒｅｑｕｅｓｔ「第１のデバイス」Ｃａｐａｂｉｌｉｔｉｅｓ要求要素、および／またはＰｒｏｖｉｄｅ「第２のデバイス」Ｃａｐａｂｉｌｉｔｉｅｓ応答要素を含むことができる。第２のデバイスが第２のポジショニングプロトコルバージョンをサポートする場合、Ｒｅｑｕｅｓｔ  Ｅｘｔｅｎｄｅｄ「第１のデバイス」Ｃａｐａｂｉｌｉｔｉｅｓ要求要素、および非送信請求型Ｐｒｏｖｉｄｅ  Ｅｘｔｅｎｄｅｄ「第２のデバイス」Ｃａｐａｂｉｌｉｔｉｅｓ応答要素とともに第２のポジショニングプロトコルバージョンに関連付けられたメッセージタイプフィールドを含む第２のＰＤＤＭが与えられる。たとえば、第２のデバイスが第３のポジショニングプロトコルバージョンをサポートする場合、Ｒｅｑｕｅｓｔ  Ａｄｖａｎｃｅｄ「第１のデバイス」Ｃａｐａｂｉｌｉｔｉｅｓ要求要素、および非送信請求型Ｐｒｏｖｉｄｅ  Ａｄｖａｎｃｅｄ「第２のデバイス」Ｃａｐａｂｉｌｉｔｉｅｓ応答要素とともに第３のポジショニングプロトコルバージョンに関連付けられたメッセージタイプフィールドを含む第３のＰＤＤＭが与えられる。
【０００９】
いくつかの実装形態では、第２のＰＤＤＭおよび／または第３のＰＤＤＭに関連付けられたトランスポートメッセージの（１つまたは複数の）部分を識別するために、メッセージ長情報をトランスポートメッセージ内に与えることができる。いくつかの実装形態では、第３のＰＤＤＭは、少なくとも部分的に、拡張可能な構文言語を使用して符号化されるペイロードを含むことができる。
【００１０】
いくつかの他の例示的な態様によれば、第１のデバイスを用いて、第１のデバイスが第１のポジショニングプロトコルバージョンに加えてサポートすることが実効的に可能である複数のポジショニングプロトコルバージョンのうちの少なくとも１つを判断することと、指示信号、たとえば、第１のデバイスがサポートするポジショニングプロトコルバージョンごとのＰＤＤＭを第２のデバイスに送信することとを含む方法（および／または特定の装置）を実装することができる。
【図面の簡単な説明】
【００１１】
【図１】一実装形態による、少なくとも２つのデバイスが互いに通信し、位置判断プロセスを開始および／またはさもなければサポートすることが可能である例示的なワイヤレス通信ネットワーク環境を示す概略ブロック図。
【図２】一実装形態による、位置判断プロセスを開始および／またはさもなければサポートすることが可能であるデバイスのいくつかの例示的な特徴を示す概略ブロック図。
【図３Ａ】一実装形態による、位置判断プロセスを開始および／またはさもなければサポートするために１つまたは複数のデバイスにおいて実装される例示的な方法を示す流れ図。
【図３Ｂ】一実装形態による、位置判断プロセスを開始および／またはさもなければサポートするために１つまたは複数のデバイスにおいて実装される例示的な方法を示す流れ図。
【図４】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図５】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図６】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図７】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図８】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図９】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１０】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１１】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１２】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１３】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１４】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１５】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１６】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１７】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１８】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図１９】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図２０】いくつかの実装形態による、１つまたは複数のポジショニングプロトコルバージョンを使用して位置判断プロセスを開始および／またはさもなければサポートするために（１つまたは複数の）指示信号中に与えられる例示的なメッセージを示す図。
【図２１】いくつかの実装形態による、１つまたは複数のポジショニングプロトコルバージョンを使用して位置判断プロセスを開始および／またはさもなければサポートするために（１つまたは複数の）ケイパビリティ信号中に与えられる例示的なトランスポートメッセージを示す図。
【図２２】一実装形態による、位置判断プロセスを開始および／またはさもなければサポートするために、たとえば、図２１のような、トランスポートメッセージを処理するために１つまたは複数のデバイスにおいて実装される例示的な方法を示す流れ図。
【図２３】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図２４】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【図２５】いくつかの実装形態による、１つまたは複数のポジショニングプロトコルバージョンを使用して位置判断プロセスを開始および／またはさもなければサポートすることが可能である２つのデバイス間の例示的なメッセージ交換を示す流れ図。
【発明を実施するための形態】
【００１２】
以下の図を参照しながら非限定的で非網羅的な態様について説明し、別段の規定がない限り、様々な図の全体を通して、同様の参照番号は同様の部分を指す。
【００１３】
位置判断プロセスを使用して、デバイスのロケーション、および特定の例では、移動局などのモバイルデバイスのロケーションを推定またはさもなければ判断することができる。位置判断プロセスをサポートするために利用可能な様々な技法がある。ワイヤレス通信ネットワークに関して、いくつかの位置判断プロセスでは、情報および／または処理タスクを、複数のデバイスの間および／または複数のデバイスの中に分散する必要がある。たとえば、いくつかの例では、位置判断プロセスの一部として、１つまたは複数の他のデバイスによって移動局が何らかの方法で支援されることがある。したがって、そのようなデバイスが、何らかの方法で、たとえば、ワイヤレスリンクを介して１つまたは複数の位置判断通信セッションによって、通信することが望まれることがある。したがって、位置判断プロセスをサポートするために使用されるそのような位置判断通信セッションを可能にするために、１つまたは複数のポジショニングプロトコルを開発することができる。
【００１４】
限定ではなく例として、ＣＤＭＡ２０００  １ＸおよびＨｉｇｈ  Ｒａｔｅ  Ｐａｃｋｅｔ  Ｄａｔａ（ＨＲＰＤ）ワイヤレス通信ネットワークにおいて使用するためのポジショニングプロトコルが開発され、標準化されている。１つの例示的なポジショニングプロトコルは、しばしば、その標準化識別によって、米国電気通信工業会（ＴＩＡ）公開標準では「ＩＳ−８０１」（またはＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）公開標準では「Ｃ．Ｓ００２２」）と呼ばれる。現在、この例示的なポジショニングプロトコルの２つのバージョンがある。第１のバージョンは、本明細書では単にＩＳ−８０１−１と呼ぶ、初期バージョンＩＳ−８０１バージョン１（またはＣ．Ｓ００２２−０バージョン３．０）である。第２のバージョンは、本明細書では単にＩＳ−８０１−Ａと呼ぶ、ＩＳ−８０１バージョンＡ（またはＣ．Ｓ００２２−Ａバージョン１．０）である。
【００１５】
以下のセクションでは、例示的なポジショニングプロトコルの将来のバージョン（たとえば、同様のおよび／または他のプロトコル、拡張、リビジョンなど）に言及し、簡潔さおよび連続性のために、本明細書の記述時にそのようなバージョンが知られているか、さらには計画されているか否かにかかわらず、これらを「ＩＳ−８０１−Ｂ」、「ＩＳ−８０１−Ｃ」、および「ＩＳ−８０１−Ｄ」と呼ぶ。しかしながら、（たとえば、おそらくＩＳ−８０１バージョンＢ（またはＣ．Ｓ００２２−Ｂバージョン１．０）および／または他の同様の識別として、）ＴＩＡおよび３ＧＰＰ２によって何らかの方法で、何らかの形態のＩＳ−８０１−Ｂがすぐに確定され、識別されることが予想される。
【００１６】
したがって、本明細書で提供される方法および装置のいくつかの例示的な実装形態は、１つまたは複数の標準化ポジショニングプロトコルなどをサポートすることが可能である。本明細書で提供される方法および装置の他の例示的な実装形態は、そのような標準化ポジショニングプロトコルなどに準拠するまたは準拠しないいくつかのデバイスにおいて実装された場合、標準化ポジショニングプロトコル中に必ずしも含まれないが、それでも有益である、機能および特徴を与えることが可能である。したがって、いくつかの例示的な実装形態では、本明細書で提供される方法および装置は、そのようなデバイスが１つまたは複数の標準化および／または非標準化ポジショニングプロトコルに他の方法で準拠することを可能にするためにデバイス中に商業的におよび／またはさもなければ有利に実装できる。
【００１７】
ＩＳ−８０１−１およびＩＳ−８０１−Ａに関して、これらの２つの例示的なポジショニングプロトコルバージョンは互いに互換性がなく（たとえば、異なるメッセージセットなど）、したがって、デバイス（たとえば、移動局、基地局／ＰＤＥ）は、位置判断通信セッションを開始するより前に、どのバージョンが使用されるかを決定する必要がある。したがって、たとえば、ＩＳ−８０１−Ａネゴシエーションシーケンスは、特定の方法で、発信側デバイスが別々のメッセージ、たとえば、ＩＳ−８０１−Ａに関連付けられたメッセージおよびＩＳ−８０１−１に関連付けられたメッセージを終端側デバイスに送信することを必要とする。終端側デバイスは、終端側デバイスと発信側デバイスの両方がサポートすることが可能である「最高」レベルのバージョンを識別する適用可能な応答を送信する。前のＩＳ−８０１−１バージョンと互換性がないメッセージセットを与えることに加えて、ＩＳ−８０１−Ａをサポートするために実装されたバージョンネゴシエーションシーケンスは、開発されたときより新しいプロトコルバージョンを効率的にサポートするのに十分に適切にフレキシブルおよび／またはスケーラブルではないようである。
【００１８】
本明細書のいくつかの態様によれば、３つ以上のプロトコルバージョンをサポートすることができ、いくつかのレベルのバージョンがスキップされるか、またはさもなければサポートされないようにする、ロバストで効率的なバージョンネゴシエーション技法が提示される。
【００１９】
したがって、たとえば、以下でより詳細に説明するように、いくつかの実装形態では、ＩＳ−８０１−Ｂまたはそれ以後のバージョンをサポートするデバイスは、ＩＳ−８０１−１などの初期のまたは「低」レベルのバージョンにネゴシエートし、それによってＩＳ−８０１−Ａおよび／または場合によっては他の間のレベルのバージョンを効果的にスキップする。したがって、いくつかのデバイスは、すべてのポジショニングプロトコルバージョン、または選択されたポジショニングプロトコルバージョンだけをサポートすることが可能である。さらに、将来のバージョンへの前方互換性を可能にする方法で、本明細書で提示される例示的な技法を実装することができる。
【００２０】
新しい技術を利用するために、ＩＳ−８０１−Ｂなど、より新しいポジショニングプロトコルバージョンが開発される。たとえば、本明細書で提供されるいくつかの方法および装置は、将来のＧＰＳリソースなど新しいＳＰＳ（たとえば、ＧＮＳＳ）リソース、運輸多目的衛星用航法補強システム（ＳＢＡＳ）リソース、ＱＺＳＳリソース、ＧＬＯＮＡＳＳリソース、Ｇａｌｉｌｅｏリソース、Ｃｏｍｐａｓｓ／ＢｅｉＤｏｕリソースおよび／または他の同様のリソースに関連する位置判断関連情報／サービスを要求／提供するために、ＩＳ−８０１−Ｂメッセージを使用する。ここで、たとえば、ＳＰＳリソースは、１つまたは複数のＳＰＳ信号、１つまたは複数のＳＰＳ信号帯域、１つまたは複数の宇宙ビークル（ＳＶ）、ＳＢＡＳリソースなど、またはそれらの組合せに関連する。これらのメッセージ、たとえば、位置判断データメッセージ（ＰＤＤＭ）および／またはトランスポートメッセージは、ＩＳ−８０１−Ｂならびに従来のおよび／または将来のバージョンをサポートするために実装できる。さらに、いくつかの方法および装置は、たとえば、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、ＣＤＭＡ２０００  １Ｘネットワークなど、様々なワイヤレス通信ネットワークにおいてロケーションポジショニングプロセスをサポートすることが可能である。
【００２１】
本明細書のいくつかの態様によれば、位置判断プロセスを開始するために第２のデバイスと通信することが可能である第１のデバイスにおいて実装できる様々な方法および装置が提供される。限定ではなく例として、第１のデバイスおよび／または第２のデバイスは、移動局、基地局、ロケーションサーバ（たとえば、位置判断エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、ＳＵＰＬロケーションプラットフォーム（ＳＬＰ）など）などを含むことができる。たとえば、いくつかの実装形態では、移動局および基地局は、ＣＤＭＡワイヤレス通信ネットワークおよび／または他の適用可能なタイプのワイヤレス通信ネットワーク内で通信することが実効的に可能である。
【００２２】
本方法および装置は、そのようなデバイスが位置判断プロセスに関連する位置判断通信セッションを開始および／またはさもなければ確立することを可能にするために、デバイスにおいて実装できる。たとえば、位置判断通信セッションは、関与するデバイスのケイパビリティに応じて特定のポジショニングプロトコルを利用することができる。したがって、本方法および装置は、ポジショニングプロトコルバージョンネゴシエーションに対応することが可能である。限定ではなく例として、移動局および基地局は、Ｔｈｉｒｄ−Ｇｅｎｅｒａｔｉｏｎ  Ｐａｒｔｎｅｒｓｈｉｐ  Ｐｒｏｊｅｃｔ２（３ＧＰＰ２）準拠位置判断プロセスをサポートおよび／またはさもなければ実行することが可能である。
【００２３】
本方法および装置は、ネットワーク内の様々なポジショニングプロトコルバージョンに対応するために実装される。いくつかの例示的な実装形態では、ネットワークのすべてまたは部分は、第１のポジショニングプロトコルバージョンと、少なくとも第２のポジショニングプロトコルバージョンと第３のポジショニングプロトコルバージョンとを含む複数のポジショニングプロトコルバージョンをサポートすることが可能である。ここで、たとえば、第２ポジショニングプロトコルバージョンおよび第３のポジショニングプロトコルバージョンは、第１のポジショニングプロトコルバージョンの異なるリビジョンおよび場合によっては以後開発／実施されるリビジョンを含む。
【００２４】
限定ではなく例として、第１のポジショニングプロトコルバージョンはＩＳ−８０１−１に準拠し、第２のポジショニングプロトコルバージョンはＩＳ−８０１−Ａに準拠し、第３のポジショニングプロトコルバージョンはＩＳ−８０１−Ｂに準拠するとすることができる。同様に、第４のまたはそれ以後のポジショニングプロトコルバージョンは、そのような規格の将来のバージョンなどに準拠するとすることができる。たとえば、本方法および装置は、ネットワーク内の様々なポジショニングプロトコルバージョン間の後方互換性および／または前方互換性を可能にすること、またはさもなければサポートすることが可能である。
【００２５】
たとえば、いくつかの方法および装置は、ポジショニングプロトコルの複数の異なるバージョン、および／または対応するサービスおよび／またはメッセージに適合するポジショニングプロトコルバージョン開始シーケンス（たとえば、バージョン発見および／またはネゴシエーションの支援）を実装することができる。（たとえば、本明細書の例では第２のポジショニングプロトコルバージョンとみなす）ＩＳ−８０１−Ａに関して、いくつかの方法および装置は、２つのＩＳ−８０１−Ａ準拠デバイス間の位置判断通信セッションを開始するために適用可能である、第２のポジショニングプロトコルバージョン開始シーケンスへの後方互換性を可能にするポジショニングプロトコルバージョンネゴシエーションプロセスを実装することができる。たとえば、第２のポジショニングプロトコルバージョン開始シーケンスは、１つまたは複数のポジショニングプロトコルバージョンに何らかの方法で互換性があるまたは互換性がない異なるメッセージング要件を導入することができる。
【００２６】
したがって、いくつかの態様によれば、各先行するおよび／または後続のポジショニングプロトコルバージョンへの互換性がないデバイスに対応する例示的な方法および装置を実装することができる。たとえば、デバイスは、第２のポジショニングプロトコルバージョンはサポートしないが、第１のポジショニングプロトコルバージョン、および第３および／または第４、および／またはそれ以後のポジショニングプロトコルバージョンをサポートする。
【００２７】
たとえば、そのようなケイパビリティは、１つまたは複数のポジショニングプロトコルバージョンをサポートしないことを選択するデバイス、回路、および／またはソフトウェアの製造に有益である。したがって、たとえば、いくつかのデバイス（たとえば、移動局、基地局など）用のチップセット（たとえば、特定の装置、処理ユニット、実施可能な命令など）の製造業者は、所与のネットワークのためのポジショニングプロトコルバージョンのサブセットのみをサポートすることによって開発および／または製造中のコストおよび／または時間を低減させることを選択することができる。ここで、たとえば、ポジショニングプロトコルバージョンのすべてをサポートするのではなく、チップセットおよび／またはデバイスは、初期（たとえば、第１の）ポジショニングプロトコルバージョン、およびあるいは最新のおよび／またはある適用可能な（たとえば、一般的な、効率的な、など）（１つまたは複数の）ポジショニングプロトコルバージョンをサポートすることができる。これを考慮して、いくつかの実装形態では、本方法および装置は、様々なポジショニングプロトコルバージョン、および／またはそれらに関連するいくつかの開始メッセージングシーケンスをサポートするために実装される。
【００２８】
後続のセクションにおいてより詳細に説明するように、いくつかの例示的な実装形態では、第３のポジショニングプロトコルバージョンを使用する位置判断通信セッションは、第１のデバイスおよび／または第２のデバイスが様々なＧｌｏｂａｌ  Ｎａｖｉｇａｔｉｏｎ  Ｓａｔｅｌｌｉｔｅ  Ｓｅｒｖｉｃｅ（ＧＮＳＳ）に関連する情報を要求および／または提供することを可能にする。第３のポジショニングプロトコルバージョンは、第１のデバイスおよび／または第２のデバイスが、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、ＣＤＭＡ２０００  １Ｘネットワーク、ＧＳＭ、ＬＴＥなどのサポートを受けて動作することを可能にする。いくつかの例示的な実装形態では、第３のポジショニングプロトコルバージョンを使用する位置判断通信セッションは、第１のデバイスおよび／または第２のデバイスが、ＧＮＳＳ、ＵＭＢネットワーク、ＨＲＰＤネットワーク、ＣＤＭＡ２０００  １Ｘネットワークなどに関連付けられた位置判断関連プロセスを拒否および／またはキャンセルすることを可能にする。
【００２９】
この序論を念頭に置いて、複数のポジショニングプロトコルバージョンのうち、第１のデバイスが第１のポジショニングプロトコルバージョンに加えてサポートすることが実効的に可能であるポジショニングプロトコルバージョンを第１のデバイスが判断することが可能である、方法および装置を第１のデバイスにおいて実装することができる。ここで、たとえば、複数のポジショニングプロトコルバージョンは、少なくとも第２のポジショニングプロトコルバージョンと第３のポジショニングプロトコルバージョンとを含む。第１のデバイスはまた、複数のポジショニングプロトコルバージョンのうち、第２のデバイスが第１のポジショニングプロトコルバージョンに加えてサポートすることが実効的に可能であるポジショニングプロトコルバージョンを識別する少なくとも１つの指示信号にアクセスすることが可能である。たとえば、指示信号は、第２のデバイスから第１のデバイスによって受信される、および／またはすでに知られている（たとえば、第１のデバイス内のメモリに記憶されている）。
【００３０】
たとえば、指示信号に応答して、第１のデバイスは、少なくとも１つのケイパビリティ信号を第２のデバイスに選択的に送信することが可能である。第１のデバイスと第２のデバイスの両方が、第３のポジショニングプロトコルバージョンをサポートすることが可能である場合、ケイパビリティ信号は、第３のポジショニングプロトコルバージョンを使用して位置判断通信セッションを開始する。第１のデバイスまたは第２のデバイスのうちの少なくとも１つが、第２のポジショニングプロトコルバージョンをサポートすることが可能ではないと判断された場合、ケイパビリティ信号は、第１のポジショニングプロトコルバージョンを使用して位置判断通信セッションを開始する。第１のデバイスと第２のデバイスとが、第２のポジショニングプロトコルバージョンをサポートすることが可能であると判断された場合、ケイパビリティ信号は、第２のポジショニングプロトコルバージョンを使用して位置判断通信セッションを開始し、たとえば、第２のポジショニングプロトコルバージョン開始シーケンスに従って送信される。
【００３１】
いくつかの例示的な実装形態では、以下でより詳細に説明するように、指示信号は、第２のデバイスがサポートすることが可能であるポジショニングプロトコルバージョンごとに、位置判断データメッセージ（ＰＤＤＭ）を含む少なくとも１つのトランスポートメッセージを含むことができる。ＰＤＤＭは、たとえば、１つまたは複数の要素またはメッセージを含み、そのうちのいくつかは送信請求型であり、そのうちのいくつかは非送信請求型である。たとえば、「要求」要素またはメッセージは送信請求型「供給」要素またはメッセージを引き出すことができ、非送信請求型「供給」要素またはメッセージは要求されることなしに送信される。
【００３２】
さらなる一般的な例として、第１のポジショニングプロトコルバージョンに関連付けられたメッセージタイプフィールドなどを含む、第２のデバイスによって第１のデバイスに送信される第１のＰＤＤＭが与えられる。ここで、たとえば、そのような第１のＰＤＤＭは、Ｒｅｑｕｅｓｔ「第１のデバイス」Ｃａｐａｂｉｌｉｔｉｅｓ要求要素、および／または非送信請求型Ｐｒｏｖｉｄｅ「第２のデバイス」Ｃａｐａｂｉｌｉｔｉｅｓ応答要素を含むことができる。たとえば、第２のデバイスが第２のポジショニングプロトコルバージョンをサポートする場合、第２のＰＤＤＭは、第２のデバイスから第１のデバイスに送信され、第２のポジショニングプロトコルバージョンに関連付けられたメッセージタイプフィールド（など）を含む。いくつかの例では、第２のＰＤＤＭは、Ｒｅｑｕｅｓｔ  Ｅｘｔｅｎｄｅｄ「第１のデバイス」Ｃａｐａｂｉｌｉｔｉｅｓ要求要素、および／または非送信請求型Ｐｒｏｖｉｄｅ  Ｅｘｔｅｎｄｅｄ「第２のデバイス」Ｃａｐａｂｉｌｉｔｉｅｓ応答要素を含むことができる。たとえば、第２のデバイスが第３のポジショニングプロトコルバージョンをサポートする場合、第３のＰＤＤＭは、第２のデバイスから第１のデバイスに送信され、第３のポジショニングプロトコルバージョンに関連付けられたメッセージタイプフィールドなどを含む。いくつかの例では、第３のＰＤＤＭは、Ｒｅｑｕｅｓｔ  Ａｄｖａｎｃｅｄ「第１のデバイス」Ｃａｐａｂｉｌｉｔｉｅｓ要求要素、および／または非送信請求型Ｐｒｏｖｉｄｅ  Ａｄｖａｎｃｅｄ「第２のデバイス」Ｃａｐａｂｉｌｉｔｉｅｓ応答要素を含む。
【００３３】
したがって、たとえば、第２のデバイスが移動局（ＭＳ）を含み、第１のデバイスが基地局（ＢＳ）を含む場合、Ｒｅｑｕｅｓｔ  Ａｄｖａｎｃｅｄ「第１のデバイス」Ｃａｐａｂｉｌｉｔｉｅｓ要求要素は、Ｒｅｑｕｅｓｔ  Ａｄｖａｎｃｅｄ  ＢＳ  Ｃａｐａｂｉｌｉｔｉｅｓ要求要素を含み、非送信請求型Ｐｒｏｖｉｄｅ  Ａｄｖａｎｃｅｄ「第２のデバイス」Ｃａｐａｂｉｌｉｔｉｅｓ応答要素は、非送信請求型Ｐｒｏｖｉｄｅ  Ａｄｖａｎｃｅｄ  ＭＳ  Ｃａｐａｂｉｌｉｔｉｅｓ応答要素を含む。
【００３４】
逆に、たとえば、第２のデバイスが基地局（ＢＳ）を含み、第１のデバイスが移動局（ＭＳ）を含む場合、Ｒｅｑｕｅｓｔ  Ａｄｖａｎｃｅｄ「第１のデバイス」Ｃａｐａｂｉｌｉｔｉｅｓ要求要素は、Ｒｅｑｕｅｓｔ  Ａｄｖａｎｃｅｄ  ＭＳ  Ｃａｐａｂｉｌｉｔｉｅｓ要素要求を含み、非送信請求型Ｐｒｏｖｉｄｅ  Ａｄｖａｎｃｅｄ「第２のデバイス」Ｃａｐａｂｉｌｉｔｉｅｓ応答要素は、非送信請求型Ｐｒｏｖｉｄｅ  Ａｄｖａｎｃｅｄ  ＢＳ  Ｃａｐａｂｉｌｉｔｉｅｓ応答要素を含む。
【００３５】
いくつかの例示的な実装形態では、後続のパラグラフにおいてより詳細に説明するように、トランスポートメッセージは、第２のＰＤＤＭおよび／または第３のＰＤＤＭのうちの少なくとも１つに関連付けられたトランスポートメッセージの（１つまたは複数の）部分を識別するメッセージ長情報を含むことができる。たとえば、ＰＤＤＭおよび／または応答要素の１つまたは複数は、第１のポジショニングプロトコルバージョン、第２のポジショニングプロトコルバージョン、または第３のポジショニングプロトコルバージョンのいずれか１つに関連付けられたリビジョンレベルインジケータを含む。
【００３６】
いくつかの他の態様によれば、指示信号を第２のデバイスに供給する（たとえば、発信する）ために、様々な方法および装置を第１のデバイスにおいて実装できる。この場合、たとえば、第１のデバイスは、複数のポジショニングプロトコルバージョンのうち、第１のデバイスが第１のポジショニングプロトコルバージョンに加えてサポートすることが実効的に可能である少なくとも１つのポジショニングプロトコルバージョンを判断することが可能である。この場合も、たとえば、複数のポジショニングプロトコルバージョンは、少なくとも第２のポジショニングプロトコルバージョンと第３のポジショニングプロトコルバージョンとを含む。
【００３７】
第１のデバイスはまた、指示信号を第２のデバイスに送信することが可能である。指示信号は、第１のデバイスがサポートするポジショニングプロトコルバージョンごとに、ＰＤＤＭを含むことができる。したがって、たとえば、第１のポジショニングプロトコルバージョンに関連付けられたメッセージタイプフィールドなどを含む第１のＰＤＤＭが与えられる。第１のデバイスが第２のポジショニングプロトコルバージョンをサポートする場合、第２のポジショニングプロトコルバージョンに関連付けられたメッセージタイプフィールドなどを含む第２のＰＤＤＭが与えられる。たとえば、第２のＰＤＤＭは、Ｒｅｑｕｅｓｔ  Ｅｘｔｅｎｄｅｄ「第２のデバイス」Ｃａｐａｂｉｌｉｔｉｅｓ要求要素、および／または非送信請求型Ｐｒｏｖｉｄｅ  Ｅｘｔｅｎｄｅｄ「第１のデバイス」Ｃａｐａｂｉｌｉｔｉｅｓ応答要素を含むことができる。第１のデバイスが第３のポジショニングプロトコルバージョンをサポートする場合、第３のポジショニングプロトコルバージョンに関連付けられたメッセージタイプフィールドなどを含む第３のＰＤＤＭが与えられる。たとえば、第３のＰＤＤＭは、Ｒｅｑｕｅｓｔ  Ａｄｖａｎｃｅｄ「第２のデバイス」Ｃａｐａｂｉｌｉｔｉｅｓ要求要素、および／または非送信請求型Ｐｒｏｖｉｄｅ  Ａｄｖａｎｃｅｄ「第１のデバイス」Ｃａｐａｂｉｌｉｔｉｅｓ応答要素を含む。
【００３８】
いくつかの実装形態では、指示信号は、データバーストメッセージ、ＩＰパケットなどの中で送信される少なくとも１つのトランスポートメッセージを含むことができる。したがって、いくつかの実装形態では、トランスポートメッセージ内で複数のＰＤＤＭを連結またはさもなければ構成することができる。したがって、たとえば、トランスポートメッセージ内の各ＰＤＤＭに関連付けられたトランスポートメッセージの部分を識別、またはさもなければ指定するメッセージ長情報をトランスポートメッセージ内に含む。
【００３９】
次に図１に注目すると、図１は、デバイスが互いに通信し、位置判断プロセスを開始および／またはさもなければサポートすることが可能である、例示的なワイヤレス通信ネットワーク環境１００を示す概略ブロック図である。
【００４０】
この特定の例では、ワイヤレス通信ネットワーク環境１００は、移動局（ＭＳ）１０２、１つまたは複数の基地局（ＢＳ）１０４、１つまたは複数の衛星測位システム（ＳＰＳ）１０６、ネットワーク１０８、およびロケーションサーバ１１０など、代表的なデバイスを含む。ＭＳ１０２は、１つまたは複数のワイヤレス通信リンクを介してＢＳ１０４と通信することが可能である。ＭＳ１０２、ＢＳ１０４またはロケーションサーバ１１０の１つまたは複数は、ＳＰＳ１０６の様々な送信リソースによって送信されるＳＰＳ信号を収集することが可能であり、および／またはさもなければＳＰＳ１０６を介して利用可能な情報に関連するいくつかの位置判断プロセスをサポートすることが可能である。
【００４１】
図１中の代表的なデバイスは、ワイヤレス通信リンクまたは有線通信リンクのいずれかによって結合されるとして示されているが、いくつかの例示的な実装形態では、少なくともいくつかのデバイスは、１つまたは複数の有線、ファイバおよび／またはワイヤレス通信リンクを介して互いに結合できることを理解されたい。
【００４２】
別段に明記されていない限り、本明細書で使用する、「ロケーションサーバ」という用語は、そのような位置判断プロセスを少なくとも部分的にサポートすることが可能である、１つまたは複数のデバイスおよび／または１つまたは複数の特定の装置を本明細書中で表すものである。したがって、図１に示した例では、ネットワーク１０８および／またはＢＳ１０４を介してＭＳ１０２と通信することができる個別のデバイスとして示されているが、他の実装形態では、「ロケーションサーバ」は１つまたは複数の有線および／または１つまたは複数のワイヤレス通信リンクを使用して直接および／または間接的にＭＳ１０２と通信することが可能であることを理解されたい。したがって、いくつかの例示的な実装形態では、ロケーションサーバは、１つまたは複数のワイヤレス送信機、受信機、トランシーバ、１つまたは複数の基地局、様々な有線および／またはワイヤレスネットワークリソース、特定の装置として使用可能である１つまたは複数のコンピューティングデバイス、および／または他の同様のコンピューティングおよび／または通信デバイスの形態をとる、および／またはさもなければそれらを効果的に備えることができる。このことを念頭に置いて、基地局（ＢＳ）またはＢＳ１０４に例示的に言及する場合、そのようなＢＳおよび／またはＢＳ１０４は、本明細書で広義に定義される「ロケーションサーバ」を備えることができることを理解されたい。したがって、基地局（ＢＳ）およびロケーションサーバという用語は互換的に使用される。さらに、ＢＳケイパビリティなどを要求および／または提供するメッセージにおいて、そのような要求された情報および／または与えられた情報をロケーションサーバケイパビリティなどに関連付けることができることを理解されたい。
【００４３】
ＭＳ１０２および／またはＢＳ１０４は、たとえば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）など、様々なワイヤレス通信ネットワークを使用することによってケイパビリティを与えることが可能である。「ネットワーク」および「システム」という用語は、しばしば互換的に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波周波数分割多元接続（ＳＣ−ＦＤＭＡ）ネットワークなどとすることができる。ＣＤＭＡネットワークは、ｃｄｍａ２０００、広帯域ＣＤＭＡ（Ｗ−ＣＤＭＡ）などの１つまたは複数の無線アクセス技術（ＲＡＴ）を実装することができる。ＣＤＭＡ２０００は、ＩＳ−９５、ＩＳ−２０００、およびＩＳ−８５６規格を含む。ＴＤＭＡネットワークは、広域移動体通信システム（ＧＳＭ）、デジタルアドバンスト移動電話システム（Ｄ−ＡＭＰＳ）、または何らかの他のＲＡＴを実装することができる。ＧＳＭおよびＷ−ＣＤＭＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の組織からの文書に記載されている。３ＧＰＰおよび３ＧＰＰ２の文書は公に入手可能である。ＷＬＡＮは、ＩＥＥＥ８０２．１１ｘネットワークでよく、ＷＰＡＮは、Ｂｌｕｅｔｏｏｔｈ（登録商標）ネットワーク、ＩＥＥＥ８０２．１５ｘネットワーク、または他の何らかのタイプのネットワークであってもよい。また、これらの技術を、ＷＷＡＮ、ＷＬＡＮ、および／またはＷＰＡＮの任意の組合せに関して使用することもできる。上述のように、ＵＭＢネットワーク、ＨＲＰＤネットワーク、ＣＤＭＡ２０００  １Ｘネットワーク、ＧＳＭ、ＬＴＥなどとともに使用するための技法を実装することができる。
【００４４】
たとえば、ＳＰＳ１０６は、本明細書でそれぞれ「衛星測位システム」（ＳＰＳ）と概括的に呼ばれる、ＧＰＳ、Ｇａｌｉｌｅｏ、ＧＬＯＮＡＳＳ、ＮＡＶＳＴＡＲ、ＳＢＡＳ、ＱＺＳＳ、Ｃｏｍｐａｓｓ／ＢｅｉＤｏｕ、および／または他の同様のＧＮＳＳ、これらのシステムの組合せからの衛星を使用するシステム、または今後開発されるＳＰＳのうちの１つまたは複数を含む。
【００４５】
さらに、本明細書で説明する方法および装置は、スードライト、または衛星とスードライトとの組合せを利用する位置判断プロセスで使用できる。スードライトは、ＳＰＳ時刻と同期できる、ＰＮコード、またはＬ帯（または他の周波数）搬送信号上で変調された他のレンジングコード（たとえば、ＧＰＳまたはＣＤＭＡセルラー信号に類似した）をブロードキャストする地上ベースの送信機を含むことができる。そのような送信機それぞれに、遠隔受信機による識別を許すように一意のＰＮコードを割り当てることができる。たとえば、スードライトは、トンネルの中、鉱山内、建築物の中、都市ビルの谷間または他の閉じられた区域内などの、軌道を回る衛星からの一部のＳＰＳ信号が利用できないことがある状況においてＳＰＳを補強するために使用できる。スードライトの別の実装形態は無線ビーコンとして知られている。本明細書で使用する「衛星」という用語は、スードライト、スードライトの同等物、および場合によっては他のものを含むものとする。本明細書で使用する「ＳＰＳ信号」という用語は、スードライトまたはスードライトの同等物からのＳＰＳ様の信号を含むものとする。
【００４６】
ＭＳ１０２は、いくつかの例示的な実装形態では、セルラーまたは他のワイヤレス通信デバイス、パーソナル通信システム（ＰＣＳ）デバイス、パーソナルナビゲーションデバイス、車載ナビゲーションデバイス、トラッキングデバイス、個人情報マネージャ（ＰＩＭ）、携帯情報端末（ＰＤＡ）、ラップトップ、またはワイヤレス通信を受信することが可能な他の適切なデバイスなどのデバイスを含むことができる。
【００４７】
本明細書で説明する方法は、適用例に応じて様々な手段によって実装できる。たとえば、これらの方法は、ハードウェア、ファームウェア、ソフトウェア、またはそれらの組合せで実装できる。ハードウェア実装の場合、１つまたは複数の処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実行するように設計された他の電子ユニット、またはそれらの組合せの中で実装できる。
【００４８】
ファームウェアおよび／またはソフトウェア実装の場合、いくつかの方法は、本明細書で説明する機能を実行するモジュール（たとえば、手順、機能など）を用いて実装できる。命令を有形に実施するいずれの機械可読媒体も、本明細書で説明する方法の実装において使用できる。たとえば、ソフトウェアコードは、ＭＳ１０２および／またはＢＳ１０４のメモリに記憶され、デバイスの処理ユニットによって実行される。メモリは、処理ユニット内および／または処理ユニットの外部に実装できる。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。
【００４９】
ソフトウェアで実装した場合、方法またはその部分を実装する機能は、１つまたは複数の命令またはコードとしてコンピュータ可読媒体に記憶、および／またはコンピュータ可読媒体上で送信できる。コンピュータ可読媒体は製造品の形態をとることができる。コンピュータ可読媒体は、コンピュータ記憶媒体、および／またはある場所から別の場所へのコンピュータプログラムの転送を可能にするいかなる媒体をも含む通信媒体を含むことができる。記憶媒体は、コンピュータまたは同様のデバイスによってアクセスされる任意の利用可能な媒体とすることができる。限定ではなく例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶デバイスまたは他の磁気記憶デバイス、あるいは命令またはデータ構造の形態で所望のプログラムコードを担持または記憶するために使用でき、コンピュータによってアクセスできる任意の他の媒体を備えることができる。
【００５０】
本明細書で言及する「命令」は、１つまたは複数の論理的動作を表す表現に関する。たとえば、命令は、１つまたは複数のデータオブジェクトに対して１つまたは複数の動作を実行するためにマシンによって解釈可能であることによって、「機械可読」である。ただし、これは命令の例にすぎず、請求する主題はこの点について限定されない。別の例では、本明細書で言及する命令は、符号化コマンドを含むコマンドセットを有する処理ユニットによって実行可能である符号化コマンドに関する。そのような命令は、処理ユニットによって理解される機械語の形態で符号化できる。この場合も、これらは命令の例にすぎず、請求する主題はこの点について限定されない。
【００５１】
次に図２を参照すると、図２は、位置判断プロセスを開始および／またはさもなければサポートすることが可能である装置２００のいくつかの例示的な特徴を示す概略ブロック図である。たとえば、装置２００は、適用可能な場合に、本明細書で説明する例示的な技法の少なくとも一部分を実行、またはさもなければサポートするために、ＭＳ１０２、ＢＳ１０４、ロケーションサーバ１１０、および／または他の同様のデバイス内に何らかの形態で実装できる。
【００５２】
たとえば、装置２００は、１つまたは複数の処理ユニット２０２と、メモリ２０４と、トランシーバ２１０と、（随意に）ＳＰＳ受信機２４０とを含み、それらは１つまたは複数の接続２０６（たとえば、バス、回線、ファイバ、リンクなど）と動作可能に結合さる。いくつかの例示的な実装形態では、装置２００は、チップセットなどの形態をとることができる。
【００５３】
処理ユニット２０２は、ハードウェア、ソフトウェア、またはハードウェアとソフトウェアの組合せで実装できる。したがって、たとえば、処理ユニット２０２は、デバイス２００の動作に関するデータコンピューティング手順またはプロセスの少なくとも一部分を実行するように構成可能な１つまたは複数の回路を表すことができる。限定ではなく例として、処理ユニット２０２は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含むことができる。
【００５４】
メモリ２０４は、任意のデータ記憶機構を表す。たとえば、メモリ２０４は、一次メモリおよび／または二次メモリを含む。たとえば、一次メモリは、ランダムアクセスメモリ、読取り専用メモリなどを含む。この例では処理ユニット２０２とは別個として示されているが、一次メモリの全部または一部を、処理ユニット２０２内に設ける、またはさもなければ処理ユニット２０２と共設／結合することができることを理解されたい。たとえば、二次メモリは、一次メモリ、および／または１つまたは複数のデータ記憶デバイスまたはシステム、たとえば、ディスクドライブ、光ディスクドライブ、テープドライブ、固体メモリドライブなどと同じまたは同様のタイプのメモリを含む。
【００５５】
いくつかの実装形態では、二次メモリは、コンピュータ可読媒体２２０を動作可能に受容する、またはさもなければそれに結合するように構成可能である。したがって、いくつかの例示的な実装形態では、本明細書で提示される方法および／または装置は、その上に記憶されるコンピュータ実施可能命令２０８を含むことができるコンピュータ可読媒体２２０の全部または一部の形態をとり、少なくとも１つの処理ユニット２０２によって実行されると、本明細書で説明するように例示的な動作の全部または部分を実行することが有効に可能である。
【００５６】
図２に示すように、メモリ２０４は、１つまたは複数のポジショニングプロトコルバージョン２３０−１、２３０−２、２３０−３、．．．、２３０−ｎに関連付けられた命令および／またはデータをも含むことができる。たとえば、ポジショニングプロトコルバージョン２３０−１は、第１のポジショニングプロトコルバージョンに関連付けられた命令および／またはデータを含み、ポジショニングプロトコルバージョン２３０−２は、第２のポジショニングプロトコルバージョンに関連付けられた命令および／またはデータを含み、ポジショニングプロトコルバージョン２３０−３は、第３のポジショニングプロトコルバージョンに関連付けられた命令および／またはデータを含み、ポジショニングプロトコルバージョン２３０−ｎは、「第ｎの」第２のポジショニングプロトコルバージョンに関連付けられた命令および／またはデータを含む。
【００５７】
たとえば、トランシーバ２１０は、１つまたは複数のワイヤレス通信リンクにわたって１つまたは複数の信号を送信することが可能である送信機２１２と、１つまたは複数のワイヤレス通信リンクにわたって送信される１つまたは複数の信号を受信するための受信機２１４とを含む。いくつかの実装形態では、トランシーバ２１０はまた、たとえば、ＢＳ１０４および／または他の同様のデバイス内に実装されたとき、有線送信および／または受信をサポートする。
【００５８】
次に図３Ａおよび図３Ｂに注目すると、図３Ａおよび図３Ｂは、位置判断プロセスを開始および／またはさもなければサポートするために、装置２００および／またはデバイス内の同様のものに実装されるいくつかの例示的な方法を示す流れ図である。
【００５９】
方法３００−Ａでは、ブロック３０２において、どのポジショニングプロトコルバージョンが第１のデバイスによってサポートされているかを判断する。ここで、たとえば、第１のデバイスは、ＭＳ１０２、ＢＳ１０４、および／またはロケーションサーバ１１０（図１を参照）の形態をとる。限定ではなく例として、方法３００−Ａは、１つまたは複数のポジショニングプロトコルバージョン２３０−１、２３０−２、２３０−３、．．．、２３０−ｎ（図２を参照）に基づいて、どのポジショニングプロトコルバージョンが第１のデバイスによってサポートされているかを判断することができる。ブロック３０４において、どのポジショニングプロトコルバージョンが第２のデバイスによってサポートされているかを判断および／またはさもなければ識別するために、１つまたは複数の指示信号を受信および／またはさもなければそれらにアクセスする。ここで、たとえば、第２のデバイスは、第１のデバイスとの通信に適用可能なように、ＭＳ１０２、ＢＳ１０４、および／またはロケーションサーバ１１０（図１を参照）の形態をとる。限定ではなく例として、方法３００−Ｂは、１つまたは複数のＰＤＤＭ、および／またはトランスポートメッセージ内の情報に基づいて、どのポジショニングプロトコルバージョンが第２のデバイスによってサポートされているかを判断する。
【００６０】
ブロック３０６において、位置判断通信セッションを開始するために、第１のデバイスによって少なくとも１つのケイパビリティ信号を第２のデバイスに送信する。たとえば、指示信号に応答して、第１のデバイスは、少なくとも１つのケイパビリティ信号を第２のデバイスに選択的に送信することが可能である。ここで、たとえば、第１のデバイスと第２のデバイスの両方が第３のポジショニングプロトコルバージョンをサポートすることが可能であると判断された場合、ケイパビリティ信号は、第３のポジショニングプロトコルバージョンを使用して位置判断通信セッションを開始する。第１のデバイスまたは第２のデバイスのうちの少なくとも１つが第２のポジショニングプロトコルバージョンをサポートすることが可能ではないと判断された場合、ケイパビリティ信号は、第１のポジショニングプロトコルバージョン（たとえば、デフォルトまたは初期バージョン）を使用して位置判断通信セッションを開始する。第１のデバイスと第２のデバイスとが第２のポジショニングプロトコルバージョンをサポートすることが可能であると判断された場合、ケイパビリティ信号は、第２のポジショニングプロトコルバージョンを使用して位置判断通信セッションを開始し、たとえば、第２のポジショニングプロトコルバージョン開始シーケンスに従って送信される。
【００６１】
方法３００−Ｂでは、ブロック３１０において、どのポジショニングプロトコルバージョンが第１のデバイス（たとえば、方法３００−Ａの上記の例では、実際には「第２の」デバイス）によってサポートされているかを判断する。ここで、たとえば、第１のデバイスは、ＭＳ１０２、ＢＳ１０４、および／またはロケーションサーバ１１０（図１を参照）の形態をとる。限定ではなく例として、方法３００−ｂは、１つまたは複数のポジショニングプロトコルバージョン２３０−１、２３０−２、２３０−３、．．．、２３０−ｎ（図２を参照）に基づいて、どのポジショニングプロトコルバージョンが第１のデバイスによってサポートされているかを判断することができる。
【００６２】
ブロック３１２において、（１つまたは複数の）指示信号をトランスポートメッセージによって、第２のデバイス（たとえば、方法３００−Ａの上記の例では、実際には「第１の」デバイス）に送信する。例として、（１つまたは複数の）指示信号は、どの（１つまたは複数の）ポジショニングプロトコルバージョンが第１のデバイスによってサポートされているかを指定する、１つまたは複数のＰＤＤＭ、および／またはトランスポートメッセージ内に情報を含むことができる。
【００６３】
たとえば、上記の例示的な方法および装置は、以下で説明する様々な例に示すように、ポジショニングプロトコルバージョンネゴシエーションをサポートすることが可能である。
【００６４】
図４〜図１９は、１つまたは複数のポジショニングプロトコルバージョンを使用して位置判断プロセスを開始および／またはさもなければサポートすることが可能である２つのデバイス間の様々な例示的なメッセージ交換を示す流れ図である。ここで、限定ではなく例として、デバイスは、少なくとも３つの例示的なポジショニングプロトコルバージョンのうちの少なくとも１つをサポートする移動局および基地局として示される。ここで、たとえば、３つのポジショニングプロトコルバージョンは、第１のポジショニングプロトコルバージョン（たとえば、ＩＳ−８０１−１）、第２のポジショニングプロトコルバージョン（たとえば、ＩＳ−８０１−Ａ）、および／または第３のポジショニングプロトコルバージョン（たとえば、ＩＳ−８０１−Ｂ）を含む。
【００６５】
これらの例示的な流れ図では、一方のデバイスは、位置判断プロセスを「発信する」とみなされ、他方のデバイスは位置判断プロセスを「終端する」とみなされる。また、これらの例示的な流れ図中に、発信側デバイスから終端側デバイスへの１つまたは複数の指示信号と、終端側デバイスから発信側デバイスへの１つまたは複数のケイパビリティ信号とを含む、様々な例示的なメッセージが示される。１つまたは複数の指示信号および／または１つまたは複数のケイパビリティ信号は、たとえば、１つまたは複数のトランスポートメッセージ内に１つまたは複数のＰＤＤＭを含むことができる。ＰＤＤＭはＰＤ＿ＭＳＧ＿ＴＹＰＥ、場合によっては１つまたは複数の要求要素および／または応答要素を含むことができる。トランスポートメッセージによって２つ以上のＰＤＤＭが送信される場合、例示的な流れ図では、一重矢印の上に記載される。
【００６６】
図４は、例示的なバージョンネゴシエーションプロセス４００を示し、発信側ＢＳはＩＳ−８０１−１をサポートし、終端側ＭＳはＩＳ−８０１−１およびＩＳ−８０１−Ｂをサポートする。４０２に示すように、ＢＳは、ＩＳ−８０１−１を送信者がサポートすることを指定する指示信号として働くことができる、ＰＤ＿ＭＳＧ＿ＴＹＰＥ＝“００００００００”をＭＳに送信する。４０４において応答して、ＭＳは、ＩＳ−８０１−１を送信者がサポートすることを指定するケイパビリティ信号として働くことができる、ＰＤ＿ＭＳＧ＿ＴＹＰＥ＝“００００００００”をＢＳに送信し、それにより、４０６において、当該ポジショニングプロトコルバージョンを使用して、位置判断通信セッションを開始する。
【００６７】
図５は、例示的なバージョンネゴシエーションプロセス５００を示し、発信側ＭＳはＩＳ−８０１−１およびＩＳ−８０１−Ｂをサポートし、終端側ＢＳはＩＳ−８０１−１をサポートする。５０２に示すように、ＭＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＢＳに送信する。５０４において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＭＳに送信し、それにより、５０６において、当該ポジショニングプロトコルバージョンを使用して、位置判断通信セッションを開始する。
【００６８】
図６は、例示的なバージョンネゴシエーションプロセス６００を示し、発信側ＢＳはＩＳ−８０１−１およびＩＳ−８０１−Ａをサポートし、終端側ＭＳはＩＳ−８０１−１、ＩＳ−８０１−ＡおよびＩＳ−８０１−Ｂをサポートする。６０２に示すように、ＢＳは、それぞれＩＳ−８０１−１およびＩＳ−８０１−Ａを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“０００００００１”をＭＳに送信する。６０４において応答して、ＭＳは、ＩＳ−８０１−Ａを送信者がサポートすることを指定するケイパビリティ信号として働くことができる、ＰＤ＿ＭＳＧ＿ＴＹＰＥ＝“０００００００１”をＢＳに送信し、それにより、６０６において、当該ポジショニングプロトコルバージョンを使用して、位置判断通信セッションを開始する。ここで、たとえば、（１つまたは複数の）ケイパビリティ信号は、ＩＳ−８０１−Ａに関連付けられた特定の開始シーケンスに従って送信される。
【００６９】
図７は、例示的なバージョンネゴシエーションプロセス７００を示し、発信側ＭＳはＩＳ−８０１−１および（少なくとも）ＩＳ−８０１−Ｂをサポートし、終端側ＢＳはＩＳ−８０１−１およびＩＳ−８０１−Ａをサポートする。７０２に示すように、ＭＳは、それぞれＩＳ−８０１−１および少なくともＩＳ−８０１−Ｂを送信者がサポートすることを指定する（１つまたは複数の）指示信号として働くことができる、ＰＤ＿ＭＳＧ＿ＴＹＰＥ＝“００００００００”および少なくともＰＤ＿ＭＳＧ＿ＴＹＰＥ＝“００００００１０”をＢＳに送信する。７０４において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＭＳに送信し、それにより、７０６において、当該ポジショニングプロトコルバージョンを使用して、位置判断通信セッションを開始する。
【００７０】
図８は、例示的なバージョンネゴシエーションプロセス８００を示し、発信側ＢＳはＩＳ−８０１−１およびＩＳ−８０１−Ａをサポートし、終端側ＭＳはＩＳ−８０１−１、ＩＳ−８０１−ＡおよびＩＳ−８０１−Ｂをサポートする。８０２に示すように、ＢＳは、ＩＳ−８０１−１を送信者がサポートすることを指定する（１つまたは複数の）指示信号として働くことができる、ＰＤ＿ＭＳＧ＿ＴＹＰＥ＝“００００００００”をＭＳに送信し、８０４において、ＢＳは、ＩＳ−８０１−Ａを送信者がサポートすることを指定する（１つまたは複数の）指示信号として働くことができる、ＰＤ＿ＭＳＧ＿ＴＹＰＥ＝“０００００００１”をＭＳに送信する。ここで、たとえば、（１つまたは複数の）指示信号は、ＩＳ−８０１−Ａに関連付けられた特定の開始シーケンスに従って送信される。また、ここで、ＰＤ＿ＭＳＧ＿ＴＹＰＥ＝“００００００００”で、リビジョンＢＳ＿ＬＳ＿ＲＥＶ＝“０００００００１”であり、ＭＳは、８０２におけるＰＤ＿ＭＳＧ＿ＴＹＰＥ＝“００００００００”ＰＤＤＭを無視し、８０４におけるＰＤ＿ＭＳＧ＿ＴＹＰＥ＝“０００００００１”ＰＤＤＭを代わりに待つことが可能である。したがって、８０６において応答して、ＭＳは、ＩＳ−８０１−Ａを送信者がサポートすることを指定するケイパビリティ信号として働くことができる、ＰＤ＿ＭＳＧ＿ＴＹＰＥ＝“０００００００１”をＢＳに送信し、それにより、８０８において、当該ポジショニングプロトコルバージョンを使用して、位置判断通信セッションを開始する。ここでまた、たとえば、（１つまたは複数の）ケイパビリティ信号は、ＩＳ−８０１−Ａに関連付けられた特定の開始シーケンスに従って送信される。
【００７１】
図９は、例示的なバージョンネゴシエーションプロセス９００を示し、発信側ＭＳはＩＳ−８０１−１および（少なくとも）ＩＳ−８０１−Ｂをサポートし、終端側ＢＳはＩＳ−８０１−１およびＩＳ−８０１−Ａをサポートする。９０２に示すように、ＭＳは、それぞれＩＳ−８０１−１および少なくともＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＢＳに送信する。９０４において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＭＳに送信し、それにより、９０６において、当該ポジショニングプロトコルバージョンを使用して、位置判断通信セッションを開始する。
【００７２】
図１０は、例示的なバージョンネゴシエーションプロセス１０００を示し、発信側ＢＳはＩＳ−８０１−１およびＩＳ−８０１−Ａをサポートし、終端側ＭＳはＩＳ−８０１−１およびＩＳ−８０１−Ｂをサポートする。１００２に示すように、ＢＳは、ＩＳ−８０１−１を送信者がサポートすることを指定する（１つまたは複数の）指示信号として働くことができる、ＰＤ＿ＭＳＧ＿ＴＹＰＥ＝“００００００００”をＭＳに送信し、１００４において、ＢＳは、ＩＳ−８０１−Ａを送信者がサポートすることを指定する（１つまたは複数の）指示信号として働くことができる、ＰＤ＿ＭＳＧ＿ＴＹＰＥ＝“０００００００１”をＭＳに送信する。ここで、たとえば、（１つまたは複数の）指示信号は、ＩＳ−８０１−Ａに関連付けられた特定の開始シーケンスに従って送信される。また、ここで、ＰＤ＿ＭＳＧ＿ＴＹＰＥ＝“００００００００”で、リビジョンＢＳ＿ＬＳ＿ＲＥＶ＝“０００００００１”であり、ＭＳは、１００４における後続のＰＤ＿ＭＳＧ＿ＴＹＰＥ＝“０００００００１”ＰＤＤＭを無視することが可能である。したがって、１００６において応答して、ＭＳは、ＩＳ−８０１−１を送信者がサポートすることを指定するケイパビリティ信号として働くことができる、ＰＤ＿ＭＳＧ＿ＴＹＰＥ＝“００００００００”をＢＳに送信し、それにより、１００８において、当該ポジショニングプロトコルバージョンを使用して、位置判断通信セッションを開始する。ここでまた、たとえば、（１つまたは複数の）ケイパビリティ信号は、ＩＳ−８０１−１に関連付けられた特定の開始シーケンスに従って送信される。
【００７３】
図１１は、例示的なバージョンネゴシエーションプロセス１１００を示し、発信側ＭＳはＩＳ−８０１−１およびＩＳ−８０１−Ｂをサポートし、終端側ＢＳはＩＳ−８０１−１およびＩＳ−８０１−Ａをサポートする。１１０２に示すように、ＭＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＢＳに送信する。１１０４において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＭＳに送信し、それにより、１１０６において、当該ポジショニングプロトコルバージョンを使用して、位置判断通信セッションを開始する。
【００７４】
図１２は、例示的なバージョンネゴシエーションプロセス１２００を示し、発信側ＢＳはＩＳ−８０１−１およびＩＳ−８０１−Ｂをサポートし、終端側ＭＳはＩＳ−８０１−１をのみサポートする。１２０２に示すように、ＢＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＭＳに送信する。１２０４において応答して、ＭＳは、ＩＳ−８０１−１を送信者がサポートすることを指定するケイパビリティ信号として働くことができる、ＰＤ＿ＭＳＧ＿ＴＹＰＥ＝“００００００００”をＢＳに送信し、それにより、１２０６において、当該ポジショニングプロトコルバージョンを使用して、位置判断通信セッションを開始する。
【００７５】
図１３は、例示的なバージョンネゴシエーションプロセス１３００を示し、発信側ＭＳはＩＳ−８０１−１をのみサポートし、終端側ＢＳはＩＳ−８０１−１およびＩＳ−８０１−Ｂをサポートする。１３０２に示すように、ＭＳは、ＩＳ−８０１−１を送信者がサポートすることを指定する（１つまたは複数の）指示信号として働くことができる、ＰＤ＿ＭＳＧ＿ＴＹＰＥ＝“００００００００”をＢＳに送信する。１３０４において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＭＳに送信し、それにより、１３０６において、当該ポジショニングプロトコルバージョンを使用して、位置判断通信セッションを開始する。
【００７６】
図１４は、例示的なバージョンネゴシエーションプロセス１４００を示し、発信側ＢＳはＩＳ−８０１−１およびＩＳ−８０１−Ｂをサポートし、終端側ＭＳはＩＳ−８０１−１およびＩＳ−８０１−Ａをサポートする。１４０２に示すように、ＢＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＭＳに送信する。１４０４において応答して、ＭＳは、ＩＳ−８０１−１を送信者がサポートすることを指定するケイパビリティ信号として働くことができる、ＰＤ＿ＭＳＧ＿ＴＹＰＥ＝“００００００００”をＢＳに送信し、それにより、１４０６において、当該ポジショニングプロトコルバージョンを使用して、位置判断通信セッションを開始する。
【００７７】
図１５は、例示的なバージョンネゴシエーションプロセス１５００を示し、発信側ＭＳはＩＳ−８０１−１およびＩＳ−８０１−Ａをサポートし、終端側ＢＳはＩＳ−８０１−１およびＩＳ−８０１−Ｂをサポートする。１５０２に示すように、ＭＳは、それぞれＩＳ−８０１−１およびＩＳ−８０１−Ａを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“０００００００１”をＢＳに送信する。１５０４において、ＢＳは、ＩＳ−８０１−Ｂをサポートするにもかかわらず、ＢＳ_ＬＶ_ＲＥＶ＝“００００００００”を設定する。したがって、１５０６において応答して、ＢＳは、ＩＳ−８０１−１を送信者がサポートすることを指定するケイパビリティ信号として働くことができる、ＰＤ＿ＭＳＧ＿ＴＹＰＥ＝“００００００００”をＢＳ＿ＬＶ＿ＲＥＶ＝“００００００００”とともにＭＳに送信し、それにより、１５０８において、当該ポジショニングプロトコルバージョンを使用して、位置判断通信セッションを開始する。
【００７８】
図１６は、例示的なバージョンネゴシエーションプロセス１６００を示し、発信側ＢＳはＩＳ−８０１−１およびＩＳ−８０１−Ｂをサポートし、終端側ＭＳはＩＳ−８０１−１およびＩＳ−８０１−Ｂをサポートする。１６０２に示すように、ＢＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＭＳに送信する。１６０４において応答して、ＭＳは、ＩＳ−８０１−Ｂを送信者がサポートすることを指定するケイパビリティ信号として働くことができる、ＰＤ＿ＭＳＧ＿ＴＹＰＥ＝“００００００１０”をＢＳに送信し、それにより、１６０６において、当該ポジショニングプロトコルバージョンを使用して、位置判断通信セッションを開始する。
【００７９】
図１７は、例示的なバージョンネゴシエーションプロセス１７００を示し、発信側ＭＳはＩＳ−８０１−１およびＩＳ−８０１−Ｂをサポートし、終端側ＢＳはＩＳ−８０１−１およびＩＳ−８０１−Ｂをサポートする。１７０２に示すように、ＭＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＢＳに送信する。１７０４において応答して、ＢＳは、ＩＳ−８０１−Ｂを送信者がサポートすることを指定するケイパビリティ信号として働くことができる、ＰＤ＿ＭＳＧ＿ＴＹＰＥ＝“００００００１０”をＭＳに送信し、それにより、１７０６において、当該ポジショニングプロトコルバージョンを使用して、位置判断通信セッションを開始する。
【００８０】
図１８は、例示的なバージョンネゴシエーションプロセス１８００を示し、発信側ＢＳはＩＳ−８０１−１、ＩＳ−８０１−Ａ、およびＩＳ−８０１−Ｂをサポートし、終端側ＭＳはＩＳ−８０１−１、ＩＳ−８０１−Ａ、およびＩＳ−８０１−Ｂをサポートする。１８０２に示すように、ＢＳは、それぞれＩＳ−８０１−１、ＩＳ−８０１−Ａ、およびＩＳ−８０１−Ｂを送信者がサポートすることを指定する（１つまたは複数の）指示信号として働くことができる、ＰＤ＿ＭＳＧ＿ＴＹＰＥ＝“００００００００”、ＰＤ＿ＭＳＧ＿ＴＹＰＥ＝“０００００００１”、およびＰＤ＿ＭＳＧ＿ＴＹＰＥ＝“００００００１０”をＭＳに送信する。１８０４において応答して、ＭＳは、ＩＳ−８０１−Ｂを送信者がサポートすることを指定するケイパビリティ信号として働くことができる、ＰＤ＿ＭＳＧ＿ＴＹＰＥ＝“００００００１０”をＢＳに送信し、それにより、１８０６において、当該ポジショニングプロトコルバージョンを使用して、位置判断通信セッションを開始する。
【００８１】
図１９は、例示的なバージョンネゴシエーションプロセス１９００を示し、発信側ＭＳはＩＳ−８０１−１、ＩＳ−８０１−Ａ、およびＩＳ−８０１−Ｂをサポートし、終端側ＢＳはＩＳ−８０１−１、ＩＳ−８０１−Ａ、およびＩＳ−８０１−Ｂをサポートする。１９０２に示すように、ＭＳは、それぞれＩＳ−８０１−１およびＩＳ−８０１−Ｂを送信者がサポートすることを指定する（１つまたは複数の）指示信号として働くことができる、ＰＤ＿ＭＳＧ＿ＴＹＰＥ＝“００００００００”およびＰＤ＿ＭＳＧ＿ＴＹＰＥ＝“００００００１０”をＭＳに送信する。１９０４において応答して、ＢＳは、ＩＳ−８０１−Ｂを送信者がサポートすることを指定するケイパビリティ信号として働くことができる、ＰＤ＿ＭＳＧ＿ＴＹＰＥ＝“００００００１０”をＭＳに送信し、それにより、１９０６において、当該ポジショニングプロトコルバージョンを使用して、位置判断通信セッションを開始する。
【００８２】
図２０は、１つまたは複数のポジショニングプロトコルバージョンを使用して位置判断プロセスを開始および／またはさもなければサポートするために（１つまたは複数の）指示信号を供給する、いくつかの例示的なＰＤＤＭメッセージの最初の部分を示す例示的な図２０００である。ここで、たとえば、メッセージ２００２は、ＰＤ＿ＭＳＧ＿ＴＹＰＥ＝“００００００００”を有し、ＩＳ−８０１−１に準拠し、メッセージ２００４は、ＰＤ＿ＭＳＧ＿ＴＹＰＥ＝“０００００００１”を有し、ＩＳ−８０１−Ａに準拠し、メッセージ２００６は、ＰＤ＿ＭＳＧ＿ＴＹＰＥ＝“００００００１０”を有し、ＩＳ−８０１−Ｂに準拠する、および／または１つまたは複数の将来のＩＳ−８０１バージョンなどに前方準拠するように拡張可能であるとすることができる。たとえば、メッセージ２００６は、メッセージ長フィールド／情報、たとえば、ＰＤ＿ＭＳＧ＿ＬＥＮ（ＭＳＢ）およびＰＤ＿ＭＳＧ＿ＬＥＮ（ＬＳＢ）を含むことができる。たとえば、メッセージ２００６は、拡張可能な構文言語、たとえばＡｂｓｔｒａｃｔ  Ｓｙｎｔａｘ  Ｎｏｔａｔｉｏｎ  Ｏｎｅ（ＡＳＮ．１）、Ｅｘｔｅｎｓｉｂｌｅ  Ｍａｒｋｕｐ  Ｌａｎｇｕａｇｅ（ＸＭＬ）などを少なくとも部分的に使用して符号化されたペイロードを含むことができる。
【００８３】
図２１は、この例に示すように、互いに連結され、単一のトランスポートメッセージ中で送信される、たとえば、図２０のような、複数のＰＤＤＭメッセージを有する例示的なトランスポートメッセージを示す例示的な図２１００である。受信デバイスは、ＩＳ−８０１−１を復号し、第１のＰＤＤＭ（たとえば、ＰＤ＿ＭＳＧ＿ＴＹＰＥ＝“００００００００”ＰＤＤＭ）の端部において予想されないビットの存在を検出し、追加のＰＤＤＭ（この場合、たとえば、ＰＤ＿ＭＳＧ＿ＴＹＰＥ＝“０００００００１”ＰＤＤＭおよびＰＤ＿ＭＳＧ＿ＴＹＰＥ＝“００００００１０”ＰＤＤＭ）を復号する。したがって、たとえば、ＰＤ＿ＭＳＧ＿ＬＥＮフィールド／情報は、ＰＤＤＭの開始および終了ポイントを識別する。いくつかの実装形態では、たとえば、ある関係するデータを識別するために、デバイスはそのような（１つまたは複数の）指示信号の全部または部分にわたってパースまたはさもなければ処理し、おそらくデータの一部をスキップする。
【００８４】
さらなる例として、図２２は、たとえば、図２１のような、トランスポートメッセージを処理するために１つまたは複数の装置において実装される例示的な方法２２００を示す流れ図である。ブロック２２０２において、トランスポートメッセージを受信、またはさもなければトランスポートメッセージにアクセスする。ブロック２２０４において、ＰＤ＿ＭＳＧ＿ＴＹＰＥ＝“００００００００”を識別し、ブロック２２０６において関連するＰＤＤＭを復号する。ブロック２２０８において、（たとえば、ＰＤ＿ＭＳＧ＿ＴＹＰＥ＝“００００００００”ＰＤＤＭの端部の先に）さらなるビットがあるかどうかを判断する。ブロック２２０８における判断がいいえの場合、ブロック２２１０において、送信者はＩＳ−８０１−１をサポートすることのみが可能であると確定する。ブロック２２０８における判断がはいの場合、ブロック２２１２において、追加のビットの復号が続き、別のＰＤＤＭに関連付けられたＰＤ＿ＭＳＧ＿ＴＹＰＥを検出する。したがって、たとえば、ブロック２２１４において、ＰＤ＿ＭＳＧ＿ＴＹＰＥ＝“０００００００１”かどうかを判断し、ブロック２２１６において、（ＩＳ−８０１−Ａが終端側デバイスによってサポートされる場合）ＰＤ＿ＭＳＧ＿ＴＹＰＥ＝“０００００００１”をスキップし、ブロック２２１８において、（たとえば、ＰＤ＿ＭＳＧ＿ＴＹＰＥ＝“０００００００１”ＰＤＤＭの端部の先に）さらなるビットがあるかどうかを判断する。
【００８５】
ブロック２２１８における判断がいいえの場合、ブロック２２２０において、送信者はＩＳ−８０１−１およびＩＳ−８０１−Ａをサポートすることが可能であると確定する。ブロック２２１８における判断がはいの場合、ブロック２２２２において、追加のビットの復号が続き、別のＰＤＤＭに関連付けられたＰＤ＿ＭＳＧ＿ＴＹＰＥを検出する。ここで、たとえば、第３のＰＤＤＭは、ＰＤ＿ＭＳＧ＿ＴＹＰＥ＝“００００００１０”ＰＤＤＭを含み、それにより、ブロック２２２４において、送信者はＩＳ−８０１−１、ＩＳ−８０１−Ａ、およびＩＳ−８０１−Ｂをサポートすることが可能であると確定する。ブロック２２２２において、第３のＰＤＤＭを復号する。
【００８６】
再びブロック２２１４を参照すると、ＰＤ＿ＭＳＧ＿ＴＹＰＥ＝“００００００１０”であると判断された場合、ブロック２２２６において、ＩＳ−８０１−Ｂ  ＰＤＤＭを復号し、ブロック２２２８において、送信者はＩＳ−８０１−１およびＩＳ−８０１−Ｂをサポートすることが可能であると確定する。
【００８７】
次に図２３を参照すると、図２３は、位置判断プロセス２３００の一部として行われることがある、２つのデバイス（たとえば、ロケーションサーバおよびＭＳ）間のいくつかの例示的なメッセージ交換を示す流れ図である。ここで、たとえば、第３のポジショニングプロトコルバージョンを使用して確立された位置判断通信セッションの開始の間および／またはその開始の後に、位置判断プロセス２３００が可能である。限定ではなく例として、第３のポジショニングプロトコルバージョンは、ＩＳ−８０１−Ｂに準拠する。
【００８８】
たとえば、位置判断プロセス２３００では、ＭＳは、あるポジショニング関連情報／要素を要求および／または供給するために、１つまたは複数のメッセージ２３０２（たとえばＰＤＤＭおよび／またはトランスポートメッセージ）をロケーションサーバに送信する。限定ではなく例として、ＩＳ−８０１−Ｂメッセージ２３０２の一部は、Ｒｅｑｕｅｓｔ  Ａｄｖａｎｃｅｄ  ＢＳ  Ｃａｐａｂｉｌｉｔｉｅｓと、Ｒｅｑｕｅｓｔ  ＧＮＳＳ  Ａｃｑｕｉｓｉｔｉｏｎ  Ａｓｓｉｓｔａｎｃｅと、非送信請求型Ｐｒｏｖｉｄｅ  Ｐｉｌｏｔ  Ｐｈａｓｅ  Ｍｅａｓｕｒｅｍｅｎｔと、非送信請求型Ｐｒｏｖｉｄｅ  Ａｄｖａｎｃｅｄ  ＭＳ  Ｉｎｆｏｒｍａｔｉｏｎと、非送信請求型Ｐｒｏｖｉｄｅ  Ａｄｖａｎｃｅｄ  Ｓｙｓｔｅｍ  Ｐａｒａｍｅｔｅｒｓ  Ｉｎｆｏｒｍａｔｉｏｎとを含む。したがって、たとえば、位置判断プロセス２３００中のこのポイントにおいて、ＭＳは、すべての可視ＢＳからのパイロット位相を測定し、Ｐｒｏｖｉｄｅ  Ｐｉｌｏｔ  Ｐｈａｓｅ  Ｍｅａｓｕｒｅｍｅｎｔメッセージによって、そのような測定値をロケーションサーバに送信する。さらに、ＭＳは（たとえば、ＭＳの所望のポジショニングケイパビリティを示す）Ｐｒｏｖｉｄｅ  Ａｄｖａｎｃｅｄ  ＭＳ  Ｉｎｆｏｒｍａｔｉｏｎメッセージ、および随意に、Ｐｒｏｖｉｄｅ  Ａｄｖａｎｃｅｄ  Ｓｙｓｔｅｍ  Ｐａｒａｍｅｔｅｒｓ  Ｉｎｆｏｒｍａｔｉｏｎメッセージを送信することができる。ＭＳは、Ｒｅｑｕｅｓｔ  Ａｄｖａｎｃｅｄ  ＢＳ  Ｃａｐａｂｉｌｉｔｉｅｓと、Ｒｅｑｕｅｓｔ  ＧＮＳＳ  Ａｃｑｕｉｓｉｔｉｏｎ  Ａｓｓｉｓｔａｎｃｅとを送信することができる。
【００８９】
たとえば、位置判断プロセス２３００では、ロケーションサーバは、あるポジショニング関連情報／要素を供給するために、１つまたは複数のメッセージ２３０４（たとえば、ＰＤＤＭおよび／またはトランスポートメッセージ）をＭＳに送信する。限定ではなく例として、ＩＳ−８０１−Ｂメッセージ２３０４の一部は、Ｐｒｏｖｉｄｅ  Ａｄｖａｎｃｅｄ  ＢＳ  Ｃａｐａｂｉｌｉｔｉｅｓメッセージと、Ｐｒｏｖｉｄｅ  ＧＮＳＳ  Ａｃｑｕｉｓｉｔｉｏｎ  Ａｓｓｉｓｔａｎｃｅメッセージとを含む。したがって、たとえば、位置判断プロセス２３００中のこのポイントにおいて、供給されたパイロット位相測定値を使用して、ロケーションサーバはＭＳの暫定位置を推定する。この位置をプレフィックスと呼ぶことができる。このプレフィックスに基づいて、ロケーションサーバは、可視ＳＶのための１つまたは複数の探索ウィンドウを判断し、Ｐｒｏｖｉｄｅ  ＧＮＳＳ  Ａｃｑｕｉｓｉｔｉｏｎ  Ａｓｓｉｓｔａｎｃｅメッセージを介して、そのような情報をＭＳに送信することができる。
【００９０】
また、位置判断プロセス２３００で示すように、たとえば、ＭＳは、Ｒｅｑｕｅｓｔ  ＧＮＳＳ  Ｓｅｎｓｉｔｉｖｉｔｙ  Ａｓｓｉｓｔａｎｃｅメッセージなど、ＩＳ−８０１−Ｂメッセージ２３０６の一部として、１つまたは複数のメッセージ２３０６（たとえば、ＰＤＤＭおよび／またはトランスポートメッセージ）をロケーションサーバに送信する。たとえば、ＭＳは、ＧＮＳＳ  ＳＶからの弱い信号を検出する際にＧＮＳＳ  Ｓｅｎｓｉｔｉｖｉｔｙ  Ａｓｓｉｓｔａｎｃｅ（ＳＡ）が有用であると判断し、したがってロケーションサーバにそのようなＳＡ情報を要求する。図示のように、ロケーションサーバは、Ｐｒｏｖｉｄｅ  ＧＮＳＳ  Ｓｅｎｓｉｔｉｖｉｔｙ  Ａｓｓｉｓｔａｎｃｅメッセージなど、１つまたは複数のメッセージ２３０８をＭＳに送信することによって応答することができる。したがって、たとえば、次いで、ＭＳは、擬似距離を測定し続ける、場合によってはパイロット位相を再び測定し続けるために、ロケーションサーバから受信したＧＮＳＳ  ＳＡ情報を使用することを試みる。
【００９１】
たとえば、位置判断プロセス２３００で示すように、ＭＳは、Ｒｅｑｕｅｓｔ  Ａｄｖａｎｃｅｄ  Ｌｏｃａｔｉｏｎ  Ｒｅｓｐｏｎｓｅメッセージ、非送信請求型Ｐｒｏｖｉｄｅ  Ｐｉｌｏｔ  Ｐｈａｓｅ  Ｍｅａｓｕｒｅｍｅｎｔメッセージ、非送信請求型Ｐｒｏｖｉｄｅ  Ｔｉｍｅ  Ｏｆｆｓｅｔ  Ｍｅａｓｕｒｅｍｅｎｔメッセージ、および非送信請求型Ｐｒｏｖｉｄｅ  ＧＮＳＳ  Ｐｓｅｕｄｏｒａｎｇｅ  Ｍｅａｓｕｒｅｍｅｎｔメッセージなど、ＩＳ−８０１−Ｂメッセージ２３１０の一部として、１つまたは複数のメッセージ２３１０（たとえば、ＰＤＤＭおよび／またはトランスポートメッセージ）をロケーションサーバに送信する。たとえば、擬似距離測定データは、Ｐｒｏｖｉｄｅ  ＧＮＳＳ  Ｐｓｅｕｄｏｒａｎｇｅ  Ｍｅａｓｕｒｅｍｅｎｔメッセージによってロケーションサーバに送信される。ＭＳは、再びＰｒｏｖｉｄｅ  Ｐｉｌｏｔ  Ｐｈａｓｅ  Ｍｅａｓｕｒｅｍｅｎｔメッセージを介して、可視基地局からのパイロット位相測定データを供給することもできる。たとえば、キャリアが１Ｘである場合、Ｐｒｏｖｉｄｅ  Ｔｉｍｅ  Ｏｆｆｓｅｔ  Ｍｅａｓｕｒｅｍｅｎｔメッセージが含まれる。そのような測定値とともに、Ｒｅｑｕｅｓｔ  Ｌｏｃａｔｉｏｎ  Ｒｅｓｐｏｎｓｅメッセージを、ロケーションサーバに送信することができる。
【００９２】
この例で示されるように、ロケーションサーバは、あるポジショニング関連情報／要素を供給するために、１つまたは複数のメッセージ２３１２をＭＳに送信する。限定ではなく例として、ＩＳ−８０１−Ｂメッセージ２３０４の一部として、Ｐｒｏｖｉｄｅ  Ａｄｖａｎｃｅｄ  Ｌｏｃａｔｉｏｎ  Ｃａｐａｂｉｌｉｔｉｅｓメッセージを含む。したがって、たとえば、位置判断プロセス２３００中のこのポイントにおいて、メッセージ２３１０から受信された測定値を使用して、ＭＳの最終位置がロケーションサーバによって判断され、最終位置情報がＭＳに送信されて、コールフローを完了する。たとえば、（１つまたは複数の）メッセージ２３１４の送信におけるＭＳの応答によって示すように、ＭＳは、セッションを終了するためにＳｅｓｓｉｏｎ  Ｅｎｄ  Ｆｌａｇセット（たとえば、ここでは、Ｓｅｓｓｉｏｎ  Ｅｎｄ  Ｆｌａｇ＝１）を含む非送信請求型Ｐｒｏｖｉｄｅ  Ａｄｖａｎｃｅｄ  ＭＳ  Ｉｎｆｏｒｍａｔｉｏｎメッセージを送信する。
【００９３】
さらなる例として、ＭＳによって送信されるＩＳ−８０１−Ｂ要求要素の一部は、Ｒｅｑｕｅｓｔ  Ｌｏｃａｔｉｏｎ  Ｒｅｓｐｏｎｓｅ、Ｒｅｑｕｅｓｔ  ＢＳ  Ｃａｐａｂｉｌｉｔｉｅｓ、Ｒｅｑｕｅｓｔ  Ｂａｓｅ  Ｓｔａｔｉｏｎ  Ａｌｍａｎａｃ、Ｒｅｑｕｅｓｔ  ＧＰＳ  Ａｃｑｕｉｓｉｔｉｏｎ  Ａｓｓｉｓｔａｎｃｅ、Ｒｅｑｕｅｓｔ  ＧＰＳ  Ｓｅｎｓｉｔｉｖｉｔｙ  Ａｓｓｉｓｔａｎｃｅ、Ｒｅｑｕｅｓｔ  ＧＰＳ  Ｌｏｃａｔｉｏｎ  Ａｓｓｉｓｔａｎｃｅ、Ｒｅｑｕｅｓｔ  ＧＰＳ  Ａｌｍａｎａｃ、Ｒｅｑｕｅｓｔ  ＧＰＳ  Ｅｐｈｅｍｅｒｉｓ、Ｒｅｑｕｅｓｔ  ＧＰＳ  Ｎａｖｉｇａｔｉｏｎ  Ｍｅｓｓａｇｅ  Ｂｉｔｓ、Ｒｅｑｕｅｓｔ  ＧＰＳ  Ａｌｍａｎａｃ  Ｃｏｒｒｅｃｔｉｏｎ、Ｒｅｑｕｅｓｔ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＢＳ  Ｃａｐａｂｉｌｉｔｉｅｓ、Ｒｅｑｕｅｓｔ  Ｅｎｈａｎｃｅｄ  Ｂａｓｅ  Ｓｔａｔｉｏｎ  Ａｌｍａｎａｃ、Ｒｅｑｕｅｓｔ  Ｇｅｎｅｒａｌ  Ａｃｑｕｉｓｉｔｉｏｎ  Ａｓｓｉｓｔａｎｃｅ、Ｒｅｑｕｅｓｔ  Ｅｘｔｅｎｄｅｄ  ＧＰＳ  Ｓｅｎｓｉｔｉｖｉｔｙ  Ａｓｓｉｓｔａｎｃｅ、Ｒｅｑｕｅｓｔ  ＧＰＳ  Ａｌｍａｎａｃ  ｖ１、Ｒｅｑｕｅｓｔ  Ｅｘｔｅｎｄｅｄ  ＧＰＳ  Ｅｐｈｅｍｅｒｉｓ、Ｒｅｑｕｅｓｔ  Ｅｘｔｅｎｄｅｄ  ＧＰＳ  Ｎａｖｉｇａｔｉｏｎ  Ｍｅｓｓａｇｅ  Ｂｉｔｓ、Ｒｅｑｕｅｓｔ  Ｅｘｔｅｎｄｅｄ  ＧＰＳ  Ａｌｍａｎａｃ  Ｃｏｒｒｅｃｔｉｏｎ、Ｒｅｑｕｅｓｔ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  ＧＰＳ  Ｃｏａｒｓｅ  Ｌｏｃａｔｉｏｎ  Ａｓｓｉｓｔａｎｃｅ、Ｒｅｑｕｅｓｔ  ＧＰＳ  Ｃｏａｒｓｅ  Ａｃｑｕｉｓｉｔｉｏｎ  Ａｓｓｉｓｔａｎｃｅ、Ｒｅｑｕｅｓｔ  ＤＧＰＳ  Ａｓｓｉｓｔａｎｃｅ、Ｒｅｑｕｅｓｔ  ＧＰＳ  Ｒｅａｌ−Ｔｉｍｅ  Ｉｎｔｅｇｒｉｔｙ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＢＳ  Ｃａｐａｂｉｌｉｔｉｅｓ、Ｒｅｑｕｅｓｔ  Ａｄｖａｎｃｅｄ  ＵＭＢ  Ｂａｓｅ  Ｓｔａｔｉｏｎ  Ａｌｍａｎａｃ、Ｒｅｑｕｅｓｔ  Ａｄｖａｎｃｅｄ  ＨＲＰＤ  Ｂａｓｅ  Ｓｔａｔｉｏｎ  Ａｌｍａｎａｃ、Ｒｅｑｕｅｓｔ  Ａｄｖａｎｃｅｄ  １Ｘ  Ｂａｓｅ  Ｓｔａｔｉｏｎ  Ａｌｍａｎａｃ、Ｒｅｑｕｅｓｔ  ＧＮＳＳ  Ａｃｑｕｉｓｉｔｉｏｎ  Ａｓｓｉｓｔａｎｃｅ、Ｒｅｑｕｅｓｔ  ＧＮＳＳ  Ｓｅｎｓｉｔｉｖｉｔｙ  Ａｓｓｉｓｔａｎｃｅ、Ｒｅｑｕｅｓｔ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＱＺＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＬＯＮＡＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＥＯ  Ｎａｖｉｇａｔｉｏｎ  Ｍｅｓｓａｇｅ  Ｐａｒａｍｅｔｅｒｓ、Ｒｅｑｕｅｓｔ  Ｍｏｄｅｒｎｉｚｅｄ  ＧＰＳ  Ａｌｍａｎａｃ、Ｒｅｑｕｅｓｔ  ＱＺＳＳ  Ａｌｍａｎａｃ、Ｒｅｑｕｅｓｔ  ＧＬＯＮＡＳＳ  Ａｌｍａｎａｃ、Ｒｅｑｕｅｓｔ  Ｇａｌｉｌｅｏ  Ａｌｍａｎａｃ、Ｒｅｑｕｅｓｔ  ＧＥＯ  Ａｌｍａｎａｃｓ  Ｍｅｓｓａｇｅ  Ｐａｒａｍｅｔｅｒｓ、Ｒｅｑｕｅｓｔ  ＧＰＳ  Ｉｏｎｏｓｐｈｅｒｉｃ  Ｍｏｄｅｌ、Ｒｅｑｕｅｓｔ  ＧＡＬＩＬＥＯ  Ｉｏｎｏｓｐｈｅｒｉｃ  Ｍｏｄｅｌ、Ｒｅｑｕｅｓｔ  ＱＺＳＳ  Ｉｏｎｏｓｐｈｅｒｉｃ  Ｍｏｄｅｌ、Ｒｅｑｕｅｓｔ  ＧＮＳＳ−ＧＮＳＳ  Ｔｉｍｅ  Ｏｆｆｓｅｔ、Ｒｅｑｕｅｓｔ  ＧＰＳ  ＵＴＣ  Ｍｏｄｅｌ、Ｒｅｑｕｅｓｔ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＲｅｑｕｅｓｔ  ＤＧＮＳＳ  Ａｓｓｉｓｔａｎｃｅのうちの１つまたは複数を含む。
【００９４】
さらなる例として、ＭＳによって送信されるＩＳ−８０１−Ｂ応答要素の一部は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｐｒｏｖｉｄｅ  Ｐｓｅｕｄｏｒａｎｇｅ  Ｍｅａｓｕｒｅｍｅｎｔ、Ｐｒｏｖｉｄｅ  Ｐｉｌｏｔ  Ｐｈａｓｅ  Ｍｅａｓｕｒｅｍｅｎｔ、Ｐｒｏｖｉｄｅ  Ｔｉｍｅ  Ｏｆｆｓｅｔ  Ｍｅａｓｕｒｅｍｅｎｔ、Ｐｒｏｖｉｄｅ  Ｃａｎｃｅｌｌａｔｉｏｎ  Ａｃｋｎｏｗｌｅｄｇｅｍｅｎｔ、Ｅｘｔｅｎｄｅｄ  Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｐｒｏｖｉｄｅ  Ｇｅｎｅｒａｌ  Ｌｏｃａｔｉｏｎ  Ｍｅａｓｕｒｅｍｅｎｔ、Ｐｒｏｖｉｄｅ  Ｅｘｔｅｎｄｅｄ  Ｃａｎｃｅｌｌａｔｉｏｎ  Ａｃｋｎｏｗｌｅｄｇｅｍｅｎｔ、Ｐｒｏｖｉｄｅ  ＧＰＳ  Ｃｏａｒｓｅ  Ｌｏｃａｔｉｏｎ  Ｒｅｓｐｏｎｓｅ、Ｐｒｏｖｉｄｅ  Ｍｅｓｓａｇｉｎｇ  Ｄｅｌａｙ  Ｍｅａｓｕｒｅｍｅｎｔ、Ｐｒｏｖｉｄｅ  Ｂｅａｒｉｎｇ  Ｍｅａｓｕｒｅｍｅｎｔ、Ｐｒｏｖｉｄｅ  Ｓｅｒｖｉｎｇ  Ｓｙｓｔｅｍ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＭＳ  Ｉｎｆｏｒｍａｔｉｏｎ、Ｐｒｏｖｉｄｅ  ＵＭＢ  Ｐｉｌｏｔ  Ｔｉｍｅ  Ｏｆｆｓｅｔ  Ｍｅａｓｕｒｅｍｅｎｔ、Ｐｒｏｖｉｄｅ  ＨＲＰＤ  Ｐｉｌｏｔ  Ｐｈａｓｅ  Ｍｅａｓｕｒｅｍｅｎｔ、Ｐｒｏｖｉｄｅ  ＧＮＳＳ  Ｐｓｅｕｄｏｒａｎｇｅ  Ｍｅａｓｕｒｅｍｅｎｔ、Ｐｒｏｖｉｄｅ  Ａｄｖａｎｃｅｄ  Ｃａｎｃｅｌｌａｔｉｏｎ  Ａｃｋｎｏｗｌｅｄｇｅｍｅｎｔ、および／またはＰｒｏｖｉｄｅ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含む。
【００９５】
さらなる例として、ＭＳによって受信されるＩＳ−８０１−Ｂ要求要素の一部は、Ｒｅｑｕｅｓｔ  Ｌｏｃａｔｉｏｎ  Ｒｅｓｐｏｎｓｅ、Ｒｅｑｕｅｓｔ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｒｅｑｕｅｓｔ  Ｐｓｅｕｄｏｒａｎｇｅ  Ｍｅａｓｕｒｅｍｅｎｔ、Ｒｅｑｕｅｓｔ  Ｐｉｌｏｔ  Ｐｈａｓｅ  Ｍｅａｓｕｒｅｍｅｎｔ、Ｒｅｑｕｅｓｔ  Ｔｉｍｅ  Ｏｆｆｓｅｔ  Ｍｅａｓｕｒｅｍｅｎｔ、Ｒｅｑｕｅｓｔ  Ｃａｎｃｅｌｌａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｒｅｑｕｅｓｔ  Ｇｅｎｅｒａｌ  Ｌｏｃａｔｉｏｎ  Ｍｅａｓｕｒｅｍｅｎｔ、Ｒｅｑｕｅｓｔ  Ｅｘｔｅｎｄｅｄ  Ｃａｎｃｅｌｌａｔｉｏｎ、Ｒｅｑｕｅｓｔ  ＧＰＳ  Ｃｏａｒｓｅ  Ｌｏｃａｔｉｏｎ  Ｒｅｓｐｏｎｓｅ、Ｒｅｑｕｅｓｔ  Ｍｅｓｓａｇｉｎｇ  Ｄｅｌａｙ  Ｍｅａｓｕｒｅｍｅｎｔ、Ｒｅｑｕｅｓｔ  Ｂｅａｒｉｎｇ  Ｍｅａｓｕｒｅｍｅｎｔ、Ｒｅｑｕｅｓｔ  Ｓｅｒｖｉｎｇ  Ｓｙｓｔｅｍ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＭＳ  Ｉｎｆｏｒｍａｔｉｏｎ、Ｒｅｑｕｅｓｔ  ＵＭＢ  Ｐｉｌｏｔ  Ｔｉｍｅ  Ｏｆｆｓｅｔ  Ｍｅａｓｕｒｅｍｅｎｔ、Ｒｅｑｕｅｓｔ  ＨＲＰＤ  Ｐｉｌｏｔ  Ｐｈａｓｅ  Ｍｅａｓｕｒｅｍｅｎｔ、Ｒｅｑｕｅｓｔ  ＧＮＳＳ  Ｐｓｅｕｄｏｒａｎｇｅ  Ｍｅａｓｕｒｅｍｅｎｔ、Ｒｅｑｕｅｓｔ  Ａｄｖａｎｃｅｄ  Ｃａｎｃｅｌｌａｔｉｏｎ、および／またはＲｅｑｕｅｓｔ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含む。
【００９６】
さらなる例として、ＭＳによって受信されるＩＳ−８０１−Ｂ応答要素の一部は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＢＳ  Ｃａｐａｂｉｌｉｔｉｅｓ、Ｐｒｏｖｉｄｅ  Ｂａｓｅ  Ｓｔａｔｉｏｎ  Ａｌｍａｎａｃ、Ｐｒｏｖｉｄｅ  ＧＰＳ  Ａｃｑｕｉｓｉｔｉｏｎ  Ａｓｓｉｓｔａｎｃｅ、Ｐｒｏｖｉｄｅ  ＧＰＳ  Ｓｅｎｓｉｔｉｖｉｔｙ  Ａｓｓｉｓｔａｎｃｅ、Ｐｒｏｖｉｄｅ  ＧＰＳ  Ｌｏｃａｔｉｏｎ  Ａｓｓｉｓｔａｎｃｅ−Ｓｐｈｅｒｉｃａｌ  Ｃｏｏｒｄｉｎａｔｅｓ、Ｐｒｏｖｉｄｅ  ＧＰＳ  Ｌｏｃａｔｉｏｎ  Ａｓｓｉｓｔａｎｃｅ−Ｃａｒｔｅｓｉａｎ  Ｃｏｏｒｄｉｎａｔｅｓ、Ｐｒｏｖｉｄｅ  ＧＰＳ  Ａｌｍａｎａｃ、Ｐｒｏｖｉｄｅ  ＧＰＳ  Ｅｐｈｅｍｅｒｉｓ、Ｐｒｏｖｉｄｅ  ＧＰＳ  Ｎａｖｉｇａｔｉｏｎ  Ｍｅｓｓａｇｅ  Ｂｉｔｓ、Ｐｒｏｖｉｄｅ  ＧＰＳ  Ａｌｍａｎａｃ  Ｃｏｒｒｅｃｔｉｏｎ、Ｐｒｏｖｉｄｅ  ＧＰＳ  Ｓａｔｅｌｌｉｔｅ  Ｈｅａｌｔｈ  Ｉｎｆｏｒｍａｔｉｏｎ、Ｅｘｔｅｎｄｅｄ  Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＢＳ  Ｃａｐａｂｉｌｉｔｉｅｓ、Ｐｒｏｖｉｄｅ  Ｅｎｈａｎｃｅｄ  Ｂａｓｅ  Ｓｔａｔｉｏｎ  Ａｌｍａｎａｃ、Ｐｒｏｖｉｄｅ  Ｇｅｎｅｒａｌ  Ａｃｑｕｉｓｉｔｉｏｎ  Ａｓｓｉｓｔａｎｃｅ、Ｐｒｏｖｉｄｅ  Ｅｘｔｅｎｄｅｄ  ＧＰＳ  Ｓｅｎｓｉｔｉｖｉｔｙ  Ａｓｓｉｓｔａｎｃｅ、Ｐｒｏｖｉｄｅ  ＧＰＳ  Ａｌｍａｎａｃ  ｖ１、Ｐｒｏｖｉｄｅ  Ｅｘｔｅｎｄｅｄ  ＧＰＳ  Ｅｐｈｅｍｅｒｉｓ、Ｐｒｏｖｉｄｅ  Ｅｘｔｅｎｄｅｄ  ＧＰＳ  Ｎａｖｉｇａｔｉｏｎ  Ｍｅｓｓａｇｅ  Ｂｉｔｓ、Ｐｒｏｖｉｄｅ  Ｅｘｔｅｎｄｅｄ  ＧＰＳ  Ａｌｍａｎａｃ  Ｃｏｒｒｅｃｔｉｏｎ、Ｐｒｏｖｉｄｅ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｐｒｏｖｉｄｅ  ＧＰＳ  Ｃｏａｒｓｅ  Ｌｏｃａｔｉｏｎ  Ａｓｓｉｓｔａｎｃｅ、Ｐｒｏｖｉｄｅ  ＧＰＳ  Ｃｏａｒｓｅ  Ａｃｑｕｉｓｉｔｉｏｎ  Ａｓｓｉｓｔａｎｃｅ、Ｐｒｏｖｉｄｅ  ＤＧＰＳ  Ａｓｓｉｓｔａｎｃｅ、Ｐｒｏｖｉｄｅ  ＧＰＳ  Ｒｅａｌ−Ｔｉｍｅ  Ｉｎｔｅｇｒｉｔｙ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＢＳ  Ｃａｐａｂｉｌｉｔｉｅｓ、Ｐｒｏｖｉｄｅ  Ａｄｖａｎｃｅｄ  ＵＭＢ  Ｂａｓｅ  Ｓｔａｔｉｏｎ  Ａｌｍａｎａｃ、Ｐｒｏｖｉｄｅ  Ａｄｖａｎｃｅｄ  ＨＲＰＤ  Ｂａｓｅ  Ｓｔａｔｉｏｎ  Ａｌｍａｎａｃ、Ｐｒｏｖｉｄｅ  Ａｄｖａｎｃｅｄ  １Ｘ  Ｂａｓｅ  Ｓｔａｔｉｏｎ  Ａｌｍａｎａｃ、Ｐｒｏｖｉｄｅ  ＧＮＳＳ  Ａｃｑｕｉｓｉｔｉｏｎ  Ａｓｓｉｓｔａｎｃｅ、Ｐｒｏｖｉｄｅ  ＧＮＳＳ  Ｓｅｎｓｉｔｉｖｉｔｙ  Ａｓｓｉｓｔａｎｃｅ、Ｐｒｏｖｉｄｅ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＱＺＳＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＬＯＮＡＳＳ  Ｅｐｈｅｍｅｒｉｓ  ａｎｄ  Ｃｌｏｃ��  Ｃｏｒｒｅｃｔｉｏｎ、Ｐｒｏｖｉｄｅ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＥＯ  Ｎａｖｉｇａｔｉｏｎ  Ｍｅｓｓａｇｅ  Ｐａｒａｍｅｔｅｒｓ、Ｐｒｏｖｉｄｅ  Ｍｏｄｅｒｎｉｚｅｄ  ＧＰＳ  Ａｌｍａｎａｃ、Ｐｒｏｖｉｄｅ  ＱＺＳＳ  Ａｌｍａｎａｃ、Ｐｒｏｖｉｄｅ  ＧＬＯＮＡＳＳ  Ａｌｍａｎａｃ、Ｐｒｏｖｉｄｅ  Ｇａｌｉｌｅｏ  Ａｌｍａｎａｃ、Ｐｒｏｖｉｄｅ  ＧＥＯ  Ａｌｍａｎａｃｓ  Ｍｅｓｓａｇｅ  Ｐａｒａｍｅｔｅｒｓ、Ｐｒｏｖｉｄｅ  ＧＰＳ  Ｉｏｎｏｓｐｈｅｒｉｃ  Ｍｏｄｅｌ、Ｐｒｏｖｉｄｅ  ＧＡＬＩＬＥＯ  Ｉｏｎｏｓｐｈｅｒｉｃ  Ｍｏｄｅｌ、Ｐｒｏｖｉｄｅ  ＱＺＳＳ  Ｉｏｎｏｓｐｈｅｒｉｃ  Ｍｏｄｅｌ、Ｐｒｏｖｉｄｅ  ＧＮＳＳ−ＧＮＳＳ  Ｔｉｍｅ  Ｏｆｆｓｅｔ、Ｐｒｏｖｉｄｅ  ＧＰＳ  ＵＴＣ  Ｍｏｄｅｌ、Ｐｒｏｖｉｄｅ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＰｒｏｖｉｄｅ  ＤＧＮＳＳ  Ａｓｓｉｓｔａｎｃｅのうちの１つまたは複数を含む。
【００９７】
さらなる例として、ＩＳ−８０１−Ｂの一部として、ＭＳは、以下の例示的なポジショニングプロトコルバージョンネゴシエーション手順を実行することが可能である。
【００９８】
（１）ＭＳは、位置判断通信セッションを開始する場合、以下に従って、ＢＳに送信される第１のデータバーストメッセージまたはＩＰパケット中に、サポートするポジショニングプロトコルバージョンごとのＰＤＤＭを含める。
【００９９】
（ａ）第１のＰＤＤＭにおいて、ＭＳは、ＰＤ＿ＭＳＧ＿ＴＹＰＥフィールドを‘００００００００’（たとえば、ＩＳ−８０１−１を示す値）に設定し、「Ｒｅｑｕｅｓｔ  ＢＳ  Ｃａｐａｂｉｌｉｔｉｅｓ」要求要素と、「Ｐｒｏｖｉｄｅ  ＭＳ  Ｉｎｆｏｒｍａｔｉｏｎ」応答要素とを含める。
【０１００】
（ｂ）タイプ‘０００００１’のＭＳ＿ＬＳ＿ＲＥＶがＭＳによってサポートされている場合、第２のＰＤＤＭにおいて、ＭＳはＰＤ＿ＭＳＧ＿ＴＹＰＥフィールドを‘０００００００１’（たとえば、ＩＳ−８０１−Ａを示す値）に設定し、「Ｒｅｑｕｅｓｔ  Ｅｘｔｅｎｄｅｄ  ＢＳ  Ｃａｐａｂｉｌｉｔｉｅｓ」要求要素と、「Ｐｒｏｖｉｄｅ  Ｅｘｔｅｎｄｅｄ  ＭＳ  Ｉｎｆｏｒｍａｔｉｏｎ」応答要素とを含める。
【０１０１】
（ｃ）最後のＰＤＤＭにおいて、ＭＳは、ＰＤ＿ＭＳＧ＿ＴＹＰＥフィールドを‘００００００１０’（たとえば、ＩＳ−８０１−Ｂを示す値）に設定し、「Ｒｅｑｕｅｓｔ  Ａｄｖａｎｃｅｄ  ＢＳ  Ｃａｐａｂｉｌｉｔｉｅｓ」要求要素と、「Ｐｒｏｖｉｄｅ  Ａｄｖａｎｃｅｄ  ＭＳ  Ｉｎｆｏｒｍａｔｉｏｎ」応答要素とを含める。
【０１０２】
（２）ＢＳが位置判断通信セッションを開始する場合、ＭＳは最も高い相互にサポートされるポジショニングプロトコルバージョンを使用して応答する。
【０１０３】
（３）ポジショニングプロトコルバージョンがネゴシエートされると、位置判断通信セッションの間そのプロトコルバージョンを使用する。したがって、予期しないメッセージを単に無視することができる。
【０１０４】
さらなる例として、ＢＳなどによって送信されるＩＳ−８０１−Ｂ要求要素の一部は、Ｒｅｑｕｅｓｔ  Ｌｏｃａｔｉｏｎ  Ｒｅｓｐｏｎｓｅ、Ｒｅｑｕｅｓｔ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｒｅｑｕｅｓｔ  Ｐｓｅｕｄｏｒａｎｇｅ  Ｍｅａｓｕｒｅｍｅｎｔ、Ｒｅｑｕｅｓｔ  Ｐｉｌｏｔ  Ｐｈａｓｅ  Ｍｅａｓｕｒｅｍｅｎｔ、Ｒｅｑｕｅｓｔ  Ｔｉｍｅ  Ｏｆｆｓｅｔ  Ｍｅａｓｕｒｅｍｅｎｔ、Ｒｅｑｕｅｓｔ  Ｃａｎｃｅｌｌａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｒｅｑｕｅｓｔ  Ｇｅｎｅｒａｌ  Ｌｏｃａｔｉｏｎ  Ｍｅａｓｕｒｅｍｅｎｔ、Ｒｅｑｕｅｓｔ  Ｅｘｔｅｎｄｅｄ  Ｃａｎｃｅｌｌａｔｉｏｎ、Ｒｅｑｕｅｓｔ  ＧＰＳ  Ｃｏａｒｓｅ  Ｌｏｃａｔｉｏｎ  Ｒｅｓｐｏｎｓｅ、Ｒｅｑｕｅｓｔ  Ｍｅｓｓａｇｉｎｇ  Ｄｅｌａｙ  Ｍｅａｓｕｒｅｍｅｎｔ、Ｒｅｑｕｅｓｔ  Ｂｅａｒｉｎｇ  Ｍｅａｓｕｒｅｍｅｎｔ、Ｒｅｑｕｅｓｔ  Ｓｅｒｖｉｎｇ  Ｓｙｓｔｅｍ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＭＳ  Ｉｎｆｏｒｍａｔｉｏｎ、Ｒｅｑｕｅｓｔ  ＵＭＢ  Ｐｉｌｏｔ  Ｔｉｍｅ  Ｏｆｆｓｅｔ  Ｍｅａｓｕｒｅｍｅｎｔ、Ｒｅｑｕｅｓｔ  ＨＲＰＤ  Ｐｉｌｏｔ  Ｐｈａｓｅ  Ｍｅａｓｕｒｅｍｅｎｔ、Ｒｅｑｕｅｓｔ  ＧＮＳＳ  Ｐｓｅｕｄｏｒａｎｇｅ  Ｍｅａｓｕｒｅｍｅｎｔ、Ｒｅｑｕｅｓｔ  Ａｄｖａｎｃｅｄ  Ｃａｎｃｅｌｌａｔｉｏｎ、および／またはＲｅｑｕｅｓｔ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含む。
【０１０５】
さらなる例として、ＢＳなどによって送信されるＩＳ−８０１−Ｂ応答要素の一部は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＢＳ  Ｃａｐａｂｉｌｉｔｉｅｓ、Ｐｒｏｖｉｄｅ  Ｂａｓｅ  Ｓｔａｔｉｏｎ  Ａｌｍａｎａｃ、Ｐｒｏｖｉｄｅ  ＧＰＳ  Ａｃｑｕｉｓｉｔｉｏｎ  Ａｓｓｉｓｔａｎｃｅ、Ｐｒｏｖｉｄｅ  ＧＰＳ  Ｓｅｎｓｉｔｉｖｉｔｙ  Ａｓｓｉｓｔａｎｃｅ、Ｐｒｏｖｉｄｅ  ＧＰＳ  Ｌｏｃａｔｉｏｎ  Ａｓｓｉｓｔａｎｃｅ−Ｓｐｈｅｒｉｃａｌ  Ｃｏｏｒｄｉｎａｔｅｓ、Ｐｒｏｖｉｄｅ  ＧＰＳ  Ｌｏｃａｔｉｏｎ  Ａｓｓｉｓｔａｎｃｅ−Ｃａｒｔｅｓｉａｎ  Ｃｏｏｒｄｉｎａｔｅｓ、Ｐｒｏｖｉｄｅ  ＧＰＳ  Ａｌｍａｎａｃ、Ｐｒｏｖｉｄｅ  ＧＰＳ  Ｅｐｈｅｍｅｒｉｓ、Ｐｒｏｖｉｄｅ  ＧＰＳ  Ｎａｖｉｇａｔｉｏｎ  Ｍｅｓｓａｇｅ  Ｂｉｔｓ、Ｐｒｏｖｉｄｅ  ＧＰＳ  Ａｌｍａｎａｃ  Ｃｏｒｒｅｃｔｉｏｎ、Ｐｒｏｖｉｄｅ  ＧＰＳ  Ｓａｔｅｌｌｉｔｅ  Ｈｅａｌｔｈ  Ｉｎｆｏｒｍａｔｉｏｎ、Ｅｘｔｅｎｄｅｄ  Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＢＳ  Ｃａｐａｂｉｌｉｔｉｅｓ、Ｐｒｏｖｉｄｅ  Ｅｎｈａｎｃｅｄ  Ｂａｓｅ  Ｓｔａｔｉｏｎ  Ａｌｍａｎａｃ、Ｐｒｏｖｉｄｅ  Ｇｅｎｅｒａｌ  Ａｃｑｕｉｓｉｔｉｏｎ  Ａｓｓｉｓｔａｎｃｅ、Ｐｒｏｖｉｄｅ  Ｅｘｔｅｎｄｅｄ  ＧＰＳ  Ｓｅｎｓｉｔｉｖｉｔｙ  Ａｓｓｉｓｔａｎｃｅ、Ｐｒｏｖｉｄｅ  ＧＰＳ  Ａｌｍａｎａｃ  ｖ１、Ｐｒｏｖｉｄｅ  Ｅｘｔｅｎｄｅｄ  ＧＰＳ  Ｅｐｈｅｍｅｒｉｓ、Ｐｒｏｖｉｄｅ  Ｅｘｔｅｎｄｅｄ  ＧＰＳ  Ｎａｖｉｇａｔｉｏｎ  Ｍｅｓｓａｇｅ  Ｂｉｔｓ、Ｐｒｏｖｉｄｅ  Ｅｘｔｅｎｄｅｄ  ＧＰＳ  Ａｌｍａｎａｃ  Ｃｏｒｒｅｃｔｉｏｎ、Ｐｒｏｖｉｄｅ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｐｒｏｖｉｄｅ  ＧＰＳ  Ｃｏａｒｓｅ  Ｌｏｃａｔｉｏｎ  Ａｓｓｉｓｔａｎｃｅ、Ｐｒｏｖｉｄｅ  ＧＰＳ  Ｃｏａｒｓｅ  Ａｃｑｕｉｓｉｔｉｏｎ  Ａｓｓｉｓｔａｎｃｅ、Ｐｒｏｖｉｄｅ  ＤＧＰＳ  Ａｓｓｉｓｔａｎｃｅ、Ｐｒｏｖｉｄｅ  ＧＰＳ  Ｒｅａｌ−Ｔｉｍｅ  Ｉｎｔｅｇｒｉｔｙ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＢＳ  Ｃａｐａｂｉｌｉｔｉｅｓ、Ｐｒｏｖｉｄｅ  Ａｄｖａｎｃｅｄ  ＵＭＢ  Ｂａｓｅ  Ｓｔａｔｉｏｎ  Ａｌｍａｎａｃ、Ｐｒｏｖｉｄｅ  Ａｄｖａｎｃｅｄ  ＨＲＰＤ  Ｂａｓｅ  Ｓｔａｔｉｏｎ  Ａｌｍａｎａｃ、Ｐｒｏｖｉｄｅ  Ａｄｖａｎｃｅｄ  １Ｘ  Ｂａｓｅ  Ｓｔａｔｉｏｎ  Ａｌｍａｎａｃ、Ｐｒｏｖｉｄｅ  ＧＮＳＳ  Ａｃｑｕｉｓｉｔｉｏｎ  Ａｓｓｉｓｔａｎｃｅ、Ｐｒｏｖｉｄｅ  ＧＮＳＳ  Ｓｅｎｓｉｔｉｖｉｔｙ  Ａｓｓｉｓｔａｎｃｅ、Ｐｒｏｖｉｄｅ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＱＺＳＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＬＯＮＡＳＳ  Ｅｐｈｅｍｅｒｉｓ  ａｎｄ  Ｃｌ��ｃｋ  Ｃｏｒｒｅｃｔｉｏｎ、Ｐｒｏｖｉｄｅ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＥＯ  Ｎａｖｉｇａｔｉｏｎ  Ｍｅｓｓａｇｅ  Ｐａｒａｍｅｔｅｒｓ、Ｐｒｏｖｉｄｅ  Ｍｏｄｅｒｎｉｚｅｄ  ＧＰＳ  Ａｌｍａｎａｃ、Ｐｒｏｖｉｄｅ  ＱＺＳＳ  Ａｌｍａｎａｃ、Ｐｒｏｖｉｄｅ  ＧＬＯＮＡＳＳ  Ａｌｍａｎａｃ、Ｐｒｏｖｉｄｅ  Ｇａｌｉｌｅｏ  Ａｌｍａｎａｃ、Ｐｒｏｖｉｄｅ  ＧＥＯ  Ａｌｍａｎａｃｓ  Ｍｅｓｓａｇｅ  Ｐａｒａｍｅｔｅｒｓ、Ｐｒｏｖｉｄｅ  ＧＰＳ  Ｉｏｎｏｓｐｈｅｒｉｃ  Ｍｏｄｅｌ、Ｐｒｏｖｉｄｅ  ＧＡＬＩＬＥＯ  Ｉｏｎｏｓｐｈｅｒｉｃ  Ｍｏｄｅｌ、Ｐｒｏｖｉｄｅ  ＱＺＳＳ  Ｉｏｎｏｓｐｈｅｒｉｃ  Ｍｏｄｅｌ、Ｐｒｏｖｉｄｅ  ＧＮＳＳ−ＧＮＳＳ  Ｔｉｍｅ  Ｏｆｆｓｅｔ、Ｐｒｏｖｉｄｅ  ＧＰＳ  ＵＴＣ  Ｍｏｄｅｌ、Ｐｒｏｖｉｄｅ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＰｒｏｖｉｄｅ  ＤＧＮＳＳ  Ａｓｓｉｓｔａｎｃｅのうちの１つまたは複数を含む。
【０１０６】
さらなる例として、ＢＳなどによって受信されるＩＳ−８０１−Ｂ要求要素の一部は、Ｒｅｑｕｅｓｔ  Ｌｏｃａｔｉｏｎ  Ｒｅｓｐｏｎｓｅ、Ｒｅｑｕｅｓｔ  ＢＳ  Ｃａｐａｂｉｌｉｔｉｅｓ、Ｒｅｑｕｅｓｔ  Ｂａｓｅ  Ｓｔａｔｉｏｎ  Ａｌｍａｎａｃ、Ｒｅｑｕｅｓｔ  ＧＰＳ  Ａｃｑｕｉｓｉｔｉｏｎ  Ａｓｓｉｓｔａｎｃｅ、Ｒｅｑｕｅｓｔ  ＧＰＳ  Ｓｅｎｓｉｔｉｖｉｔｙ  Ａｓｓｉｓｔａｎｃｅ、Ｒｅｑｕｅｓｔ  ＧＰＳ  Ｌｏｃａｔｉｏｎ  Ａｓｓｉｓｔａｎｃｅ、Ｒｅｑｕｅｓｔ  ＧＰＳ  Ａｌｍａｎａｃ、Ｒｅｑｕｅｓｔ  ＧＰＳ  Ｅｐｈｅｍｅｒｉｓ、Ｒｅｑｕｅｓｔ  ＧＰＳ  Ｎａｖｉｇａｔｉｏｎ  Ｍｅｓｓａｇｅ  Ｂｉｔｓ、Ｒｅｑｕｅｓｔ  ＧＰＳ  Ａｌｍａｎａｃ  Ｃｏｒｒｅｃｔｉｏｎ、Ｒｅｑｕｅｓｔ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＢＳ  Ｃａｐａｂｉｌｉｔｉｅｓ、Ｒｅｑｕｅｓｔ  Ｅｎｈａｎｃｅｄ  Ｂａｓｅ  Ｓｔａｔｉｏｎ、Ｒｅｑｕｅｓｔ  Ｇｅｎｅｒａｌ  Ａｃｑｕｉｓｉｔｉｏｎ  Ａｓｓｉｓｔａｎｃｅ、Ｒｅｑｕｅｓｔ  Ｅｘｔｅｎｄｅｄ  ＧＰＳ  Ｓｅｎｓｉｔｉｖｉｔｙ、Ｒｅｑｕｅｓｔ  ＧＰＳ  Ａｌｍａｎａｃ  ｖ１、Ｒｅｑｕｅｓｔ  Ｅｘｔｅｎｄｅｄ  ＧＰＳ  Ｅｐｈｅｍｅｒｉｓ、Ｒｅｑｕｅｓｔ  Ｅｘｔｅｎｄｅｄ  ＧＰＳ  Ｎａｖｉｇａｔｉｏｎ  Ｍｅｓｓａｇｅ  Ｂｉｔｓ、Ｒｅｑｕｅｓｔ  Ｅｘｔｅｎｄｅｄ  ＧＰＳ  Ａｌｍａｎａｃ  Ｃｏｒｒｅｃｔｉｏｎ、Ｒｅｑｕｅｓｔ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  ＧＰＳ  Ｃｏａｒｓｅ  Ｌｏｃａｔｉｏｎ  Ａｓｓｉｓｔａｎｃｅ、Ｒｅｑｕｅｓｔ  ＧＰＳ  Ｃｏａｒｓｅ  Ａｃｑｕｉｓｉｔｉｏｎ  Ａｓｓｉｓｔａｎｃｅ、Ｒｅｑｕｅｓｔ  ＤＧＰＳ  Ａｓｓｉｓｔａｎｃｅ、Ｒｅｑｕｅｓｔ  ＧＰＳ  Ｒｅａｌ−Ｔｉｍｅ  Ｉｎｔｅｇｒｉｔｙ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＢＳ  Ｃａｐａｂｉｌｉｔｉｅｓ、Ｒｅｑｕｅｓｔ  Ａｄｖａｎｃｅｄ  ＵＭＢ  Ｂａｓｅ  Ｓｔａｔｉｏｎ  Ａｌｍａｎａｃ、Ｒｅｑｕｅｓｔ  Ａｄｖａｎｃｅｄ  ＨＲＰＤ  Ｂａｓｅ  Ｓｔａｔｉｏｎ  Ａｌｍａｎａｃ、Ｒｅｑｕｅｓｔ  Ａｄｖａｎｃｅｄ  １Ｘ  Ｂａｓｅ  Ｓｔａｔｉｏｎ  Ａｌｍａｎａｃ、Ｒｅｑｕｅｓｔ  ＧＮＳＳ  Ａｃｑｕｉｓｉｔｉｏｎ  Ａｓｓｉｓｔａｎｃｅ、Ｒｅｑｕｅｓｔ  ＧＮＳＳ  Ｓｅｎｓｉｔｉｖｉｔｙ  Ａｓｓｉｓｔａｎｃｅ、Ｒｅｑｕｅｓｔ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＱＺＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＬＯＮＡＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＥＯ  Ｎａｖｉｇａｔｉｏｎ  Ｍｅｓｓａｇｅ  Ｐａｒａｍｅｔｅｒｓ、Ｒｅｑｕｅｓｔ  Ｍｏｄｅｒｎｉｚｅｄ  ＧＰＳ  Ａｌｍａｎａｃ、Ｒｅｑｕｅｓｔ  ＱＺＳＳ  Ａｌｍａｎａｃ、Ｒｅｑｕｅｓｔ  ＧＬＯＮＡＳＳ  Ａｌｍａｎａｃ、Ｒｅｑｕｅｓｔ  Ｇａｌｉｌｅｏ  Ａｌｍａｎａｃ、Ｒｅｑｕｅｓｔ  ＧＥＯ  Ａｌｍａｎａｃｓ  Ｍｅｓｓａｇｅ  Ｐａｒａｍｅｔｅｒｓ、Ｒｅｑｕｅｓｔ  ＧＰＳ  Ｉｏｎｏｓｐｈｅｒｉｃ  Ｍｏｄｅ、Ｒｅｑｕｅｓｔ  ＧＡＬＩＬＥＯ  Ｉｏｎｏｓｐｈｅｒｉｃ  Ｍｏｄｅｌ、Ｒｅｑｕｅｓｔ  ＱＺＳＳ  Ｉｏｎｏｓｐｈｅｒｉｃ  Ｍｏｄｅｌ、Ｒｅｑｕｅｓｔ  ＧＮＳＳ−ＧＮＳＳ  Ｔｉｍｅ  Ｏｆｆｓｅｔ、Ｒｅｑｕｅｓｔ  ＧＰＳ  ＵＴＣ  Ｍｏｄｅｌ、Ｒｅｑｕｅｓｔ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＲｅｑｕｅｓｔ  ＤＧＮＳＳ  Ａｓｓｉｓｔａｎｃｅのうちの１つまたは複数を含む。
【０１０７】
さらなる例として、ＢＳなどによって受信されるＩＳ−８０１−Ｂ応答要素の一部は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｐｒｏｖｉｄｅ  Ｐｓｅｕｄｏｒａｎｇｅ  Ｍｅａｓｕｒｅｍｅｎｔ、Ｐｒｏｖｉｄｅ  Ｐｉｌｏｔ  Ｐｈａｓｅ  Ｍｅａｓｕｒｅｍｅｎｔ、Ｐｒｏｖｉｄｅ  Ｔｉｍｅ  Ｏｆｆｓｅｔ  Ｍｅａｓｕｒｅｍｅｎｔ、Ｐｒｏｖｉｄｅ  Ｃａｎｃｅｌｌａｔｉｏｎ  Ａｃｋｎｏｗｌｅｄｇｅｍｅｎｔ、Ｅｘｔｅｎｄｅｄ  Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｐｒｏｖｉｄｅ  Ｇｅｎｅｒａｌ  Ｌｏｃａｔｉｏｎ  Ｍｅａｓｕｒｅｍｅｎｔ、Ｐｒｏｖｉｄｅ  Ｅｘｔｅｎｄｅｄ  Ｃａｎｃｅｌｌａｔｉｏｎ  Ａｃｋｎｏｗｌｅｄｇｅｍｅｎｔ、Ｐｒｏｖｉｄｅ  ＧＰＳ  Ｃｏａｒｓｅ  Ｌｏｃａｔｉｏｎ  Ｒｅｓｐｏｎｓｅ、Ｐｒｏｖｉｄｅ  Ｍｅｓｓａｇｉｎｇ  Ｄｅｌａｙ  Ｍｅａｓｕｒｅｍｅｎｔ、Ｐｒｏｖｉｄｅ  Ｂｅａｒｉｎｇ  Ｍｅａｓｕｒｅｍｅｎｔ、Ｐｒｏｖｉｄｅ  Ｓｅｒｖｉｎｇ  Ｓｙｓｔｅｍ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＭＳ  Ｉｎｆｏｒｍａｔｉｏｎ、Ｐｒｏｖｉｄｅ  ＵＭＢ  Ｐｉｌｏｔ  Ｔｉｍｅ  Ｏｆｆｓｅｔ  Ｍｅａｓｕｒｅｍｅｎｔ、Ｐｒｏｖｉｄｅ  ＨＲＰＤ  Ｐｉｌｏｔ  Ｐｈａｓｅ  Ｍｅａｓｕｒｅｍｅｎｔ、Ｐｒｏｖｉｄｅ  ＧＮＳＳ  Ｐｓｅｕｄｏｒａｎｇｅ  Ｍｅａｓｕｒｅｍｅｎｔ、Ｐｒｏｖｉｄｅ  Ａｄｖａｎｃｅｄ  Ｃａｎｃｅｌｌａｔｉｏｎ  Ａｃｋｎｏｗｌｅｄｇｅｍｅｎｔ、および／またはＰｒｏｖｉｄｅ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含む。
【０１０８】
さらなる例として、ＩＳ−８０１−Ｂの一部として、ＢＳおよび／または他の同様のデバイスは、以下の例示的なポジショニングプロトコルバージョンネゴシエーション手順を実行することが可能である。
【０１０９】
（１）ＢＳは、位置判断通信セッションを開始する場合、以下に従って、ＭＳに送信される第１のデータバーストメッセージまたはＩＰパケット中に、サポートするポジショニングプロトコルバージョンごとのＰＤＤＭを含める。
【０１１０】
（ａ）第１のＰＤＤＭにおいて、ＢＳは、ＰＤ＿ＭＳＧ＿ＴＹＰＥフィールドを‘００００００００’（たとえば、ＩＳ−８０１−１を示す値）に設定し、「Ｒｅｑｕｅｓｔ  ＭＳ  Ｉｎｆｏｒｍａｔｉｏｎ」要求要素と、「Ｐｒｏｖｉｄｅ  ＢＳ  Ｃａｐａｂｉｌｉｔｉｅｓ」応答要素とを含める。
【０１１１】
（ｂ）タイプ‘０００００００１’（たとえば、ＩＳ−８０１−Ａを示す値）のＢＳ＿ＬＳ＿ＲＥＶがＢＳによってサポートされる場合、第２のＰＤＤＭにおいて、ＢＳは、ＰＤ＿ＭＳＧ＿ＴＹＰＥフィールドを‘０００００００１’に設定し、「Ｒｅｑｕｅｓｔ  Ｅｘｔｅｎｄｅｄ  ＭＳ  Ｉｎｆｏｒｍａｔｉｏｎ」要求要素と、「Ｐｒｏｖｉｄｅ  Ｅｘｔｅｎｄｅｄ  ＢＳ  Ｃａｐａｂｉｌｉｔｉｅｓ」応答要素とを含める。
【０１１２】
（ｃ）最後のＰＤＤＭにおいて、ＢＳはＰＤ＿ＭＳＧ＿ＴＹＰＥフィールドを‘００００００１０’（たとえば、ＩＳ−８０１−Ｂを示す値）に設定し、「Ｒｅｑｕｅｓｔ  Ａｄｖａｎｃｅｄ  ＭＳ  Ｉｎｆｏｒｍａｔｉｏｎ」要求要素と、「Ｐｒｏｖｉｄｅ  Ａｄｖａｎｃｅｄ  ＢＳ  Ｃａｐａｂｉｌｉｔｉｅｓ」応答要素とを含める。
【０１１３】
（２）ＭＳが位置判断通信セッションを開始する場合、ＢＳは最も高い相互にサポートされるポジショニングプロトコルバージョンを使用して応答することができる。
【０１１４】
（３）ポジショニングプロトコルバージョンがネゴシエートされると、セッションの間そのプロトコルバージョンを使用する。予期しないメッセージを単に無視することができる。
【０１１５】
次に図２４を参照すると、図２４は、別の例示的なバージョンネゴシエーションプロセス２４００を示す。ここで、発信側ＢＳは、仮定の将来のポジショニングサービスプロトコルバージョン「ＩＳ−８０１−Ｃ」および「ＩＳ−８０１−Ｄ」、およびＩＳ−８０１−１をサポートすることが可能である。この例では、ＭＳは、「ＩＳ−８０１−Ｃ」およびＩＳ−８０１−１をサポートすることが可能である。２４０２に示すように、ＢＳは、それぞれＩＳ−８０１−１、「ＩＳ−８０１−Ｃ」、および「ＩＳ−８０１−Ｄ」を送信者がサポートすることを指定する（１つまたは複数の）指示信号として働くことができる、トランスポートメッセージ内で連結された、ＰＤ＿ＭＳＧ＿ＴＹＰＥ＝“００００００００”、（たとえば、「ＩＳ−８０１−Ｃ」に関連付けられた）ＰＤ＿ＭＳＧ＿ＴＹＰＥ＝“００００００１１”、および（たとえば、「ＩＳ−８０１−Ｄ」に関連付けられた）ＰＤ＿ＭＳＧ＿ＴＹＰＥ＝“０００００１００”をＭＳに送信する。２４０４において応答して、ＭＳは、「ＩＳ−８０１−Ｃ」を送信者がサポートすることを指定するケイパビリティ信号として働くことができる、ＰＤ＿ＭＳＧ＿ＴＹＰＥ＝“００００００１１”をＭＳに送信し、２４０６において、当該ポジショニングプロトコルバージョンを使用して、位置判断通信セッションを開始する。
【０１１６】
次に図２５を参照すると、図２５は、さらに別の例示的なバージョンネゴシエーションプロセス２５００を示す。ここで、発信側ＢＳは、仮定の将来のポジショニングサービスプロトコルバージョン「ＩＳ−８０１−Ｃ」、「ＩＳ−８０１−Ｄ」、およびＩＳ−８０１−１をサポートすることが可能である。この例では、ＭＳは、「ＩＳ−８０１−Ｃ」、ＩＳ−８０１−Ｂ、およびＩＳ−８０１−１をサポートすることが可能である。２５０２に示すように、ＢＳは、トランスポートメッセージ内に連結された、ＰＤ＿ＭＳＧ＿ＴＹＰＥ＝“００００００００”およびＰＤ＿ＭＳＧ＿ＴＹＰＥ＝“００００００１０”をＭＳに送信する。ここで、たとえば、ＰＤ＿ＭＳＧ＿ＴＹＰＥ＝“００００００１０”は、（たとえば、ＢＳ＿ＬＳ＿ＲＥＶ＝“００００１１”によって表される）「ＩＳ−８０１−Ｃ」および（たとえば、ＢＳ＿ＬＳ＿ＲＥＶ＝“０００１００”によって表される）「ＩＳ−８０１−Ｄ」などいくつかの追加のバージョンを送信者がサポートすることを指定する（１つまたは複数の）指示信号として働くことが可能である。２５０４において応答して、ＭＳは、ＩＳ−８０１−Ｂおよび「ＩＳ−８０１−Ｃ」を送信者がサポートすることを指定するケイパビリティ信号として働くことができるＰＤ＿ＭＳＧ＿ＴＹＰＥ＝“００００００１０”を（たとえば、ＭＳ＿ＬＳ＿ＲＥＶ＝“００００１０”、“００００１１”とともに）ＢＳに送信し、それにより、２５０６において、最も高い相互にサポートされるポジショニングプロトコルバージョン、ここでは、たとえば「ＩＳ−８０１−Ｃ」を使用して、位置判断通信セッションを開始する。
【０１１７】
特定の装置または特殊目的コンピューティングデバイスまたはプラットフォームのメモリ内に記憶される２値デジタル信号上の演算のアルゴリズムまたは記号表現に関して、詳細な説明のいくつかの部分を提示したが、この特定の明細書のコンテキストでは、特定の装置などの用語は、プログラムソフトウェアからの命令に従って特定の関数を実行するようにプログラムされた汎用コンピュータを含む。アルゴリズムの説明または記号表現は、信号処理または関連技術において当業者が、それらの仕事の本質を他の当業者に伝達するために使用する技法の例である。本明細書のアルゴリズムは、および一般に、所望の結果をもたらす自己無撞着な一連の演算または同様の信号処理であると考えられる。このコンテキストでは、演算または処理は、物理量の物理操作に関係する。必ずしもそうとは限らないが、一般に、そのような量は、格納、転送、組合せ、比較、または他の操作が可能な、電気信号または磁気信号の形態をとる。主に一般的な用法という理由で、そのような信号をビット、データ、値、要素、記号、文字、項、数、数字などと呼ぶことは時々便利であることがわかっている。ただし、これらおよび同様の用語はすべて、適切な物理量に関連すべきものであり、便利なラベルにすぎないことを理解されたい。特に別段の規定がない限り、本明細書から明らかなように、「処理する」、「計算する」、「算出する」、「可能にする」、「識別する」、「検出する」、「取得する」、「推定する」、「関連付ける」、「受信する」、「送信する」、「収集する」、「提供する」、「記憶する」、「アクセスする」、「判断する」などの用語は、専用コンピュータまたは同様の専用電子コンピューティングおよび／または通信デバイスなど、特定の装置のアクションまたはプロセスを指す。したがって、本明細書のコンテキストで、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいは専用コンピュータまたは同様の専用電子コンピューティングデバイスのディスプレイデバイス内の電子的または磁気的な物理量として一般に表される信号を操作または変換することが可能である。
【０１１８】
現在例示的な特徴と考えられていることを例示し説明したが、請求する主題を逸脱することなく、他の様々な変形を行うことができ、均等物を代用することができることが、当業者には理解されよう。さらに、本明細書に記載の中心概念から逸脱することなく、請求する主題の教示に特定の状況を適合させるために多くの変更を行うことができる。
【０１１９】
したがって、請求する主題は、開示された特定の例に限定されず、そのような請求する主題は、添付の特許請求の範囲の範囲内に入るすべての態様、およびその均等物をも含むものとする。
【図１】
2011514044.tif 000003
【図２】
2011514044.tif 000004
【図３Ａ】
2011514044.tif 000005
【図３Ｂ】
2011514044.tif 000006
【図４】
2011514044.tif 000007
【図５】
2011514044.tif 000008
【図６】
2011514044.tif 000009
【図７】
2011514044.tif 000010
【図８】
2011514044.tif 000011
【図９】
2011514044.tif 000012
【図１０】
2011514044.tif 000013
【図１１】
2011514044.tif 000014
【図１２】
2011514044.tif 000015
【図１３】
2011514044.tif 000016
【図１４】
2011514044.tif 000017
【図１５】
2011514044.tif 000018
【図１６】
2011514044.tif 000019
【図１７】
2011514044.tif 000020
【図１８】
2011514044.tif 000021
【図１９】
2011514044.tif 000022
【図２０】
2011514044.tif 000023
【図２１】
2011514044.tif 000024
【図２２】
2011514044.tif 000025
【図２３】
2011514044.tif 000026
【図２４】
2011514044.tif 000027
【図２５】
2011514044.tif 000028
【国際調査報告】
2011514044.tif 000029
2011514044.tif 000030
2011514044.tif 000031